(57)【要約】調湿装置は、第１吸着素子（８１）と第２吸着素子（８２）とを備えている。第１吸着素子（８１）の下方には第１フィルタ（３０１）が設けられ、第２吸着素子（８２）の下方には第２フィルタ（３０２）が設けられている。調湿装置は、第１動作と第２動作とを交互に行う。各フィルタ（３０１，３０２）の空気の流通方向は、第１動作時と第２動作時とで逆方向となる。各フィルタ（３０１，３０２）の空気の流通方向を反転させると、各フィルタ（３０１，３０２）から埃などが除去される。
2004013541.tif 000002
【特許請求の範囲】
【請求項１】
第１空間（３１１）と第２空間（３１２）の何れか一方又は両方に連通する空気通路（５３，５４，…）と、
前記空気通路（５３，５４，…）を第２空間（３１２）へ向けて流れる空気の温度及び湿度の少なくとも一方を調節するための空気調和用素子（８１，８２，…）と、
前記空気通路（５３，５４，…）を前記第１空間（３１１）から前記空気調和用素子（８１，８２，…）へ向けて流れる空気中の異物を捕集するためのフィルタ（３０１，３０２，…）と、
前記空気通路（５３，５４，…）における空気の搬送を行う空気搬送手段（９５，９６）とを備え、
温度及び湿度の少なくとも一方が調節された空気を第２空間（３１２）へ供給する空気調和装置であって、
前記空気通路（５３，５４，…）において空気が前記フィルタ（３０１，３０２，…）を通過後に前記空気調和用素子（８１，８２，…）を通過して第２空間（３１２）へ供給される通常運転と、前記空気通路（５３，５４，…）において空気が前記空気調和用素子（８１，８２，…）を通過後に前記フィルタ（３０１，３０２，…）を通過して前記第１空間（３１１）へ排出される浄化運転とが実行可能となっている空気調和装置。
【請求項２】
吸着材を備える吸着素子（８１，８２）が前記空気調和用素子として設けられ、
空気通路（５３〜５６）が第１空間（３１１）と第２空間（３１２）の両方に連通し、
空気搬送手段（９５，９６）が前記第１空間（３１１）から前記第２空間（３１２）への空気の搬送と前記第２空間（３１２）から前記第１空間（３１１）への空気の搬送とを行うように構成され、
第１空間（３１１）からの空気をフィルタ（３０１，３０２）、前記吸着素子（８１，８２）の順に流通させ、該空気中の水分を前記吸着素子（８１，８２）に吸着させてから該空気を前記第２空間（３１２）に供給する通常運転としての吸着運転と、
第２空間（３１２）からの空気を前記吸着素子（８１，８２）、フィルタ（３０１，３０２）の順に流通させ、該空気によって前記吸着素子（８１，８２）を再生してから該空気を前記第１空間（３１１）に排出する浄化運転としての再生運転とを選択的に実行する
請求の範囲第１項に記載の空気調和装置。
【請求項３】
吸着材を備える吸着素子（８１，８２）が前記空気調和用素子として設けられ、
空気通路（５３〜５６）が第１空間（３１１）と第２空間（３１２）の両方に連通し、
空気搬送手段（９５，９６）が前記第１空間（３１１）から前記第２空間（３１２）への空気の搬送と前記第２空間（３１２）から前記第１空間（３１１）への空気の搬送とを行うように構成され、
空気通路（５３〜５６）における前記吸着素子（８１，８２）の第１空間（３１１）側に前記フィルタとしての第１空間側フィルタ（３０１ａ，３０２ａ）が設けられ、
前記空気通路（５３〜５６）における前記吸着素子（８１，８２）の第２空間（３１２）側に第２空間側フィルタ（３０１ｂ，３０２ｂ）が設けられる一方、
前記第１空間（３１１）からの空気を前記第１空間側フィルタ（３０１ａ３０２ａ）、前記吸着素子（８１，８２）、前記第２空間側フィルタ（３０１ｂ，３０２ｂ）の順に流通させ、該空気中の水分を前記吸着素子（８１，８２）に吸着させてから該空気を前記第２空間（３１２）に供給する通常運転としての吸着運転と、
前記第２空間（３１２）からの空気を前記第２空間側フィルタ（３０１ｂ，３０２ｂ）、前記吸着素子（８１，８２）、前記第１空間側フィルタ（３０１ａ，３０２ａ）の順に流通させ、該空気によって前記吸着素子（８１，８２）を再生してから該空気を前記第１空間（３１１）に排出する浄化運転としての再生運転とを選択的に実行する
請求の範囲第１項に記載の空気調和装置。
【請求項４】
第１空間は室外空間（３１１）からなる一方、第２空間は室内空間（３１２）からなり、
前記吸着運転によって前記室内空間（３１２）の除湿を行う
請求の範囲第２項又は第３項に記載の空気調和装置。
【請求項５】
吸着材を備える吸着素子（８１，８２）が前記空気調和用素子として設けられ、
空気通路（５３〜５６）が第１空間（３１１）と第２空間（３１２）の両方に連通し、
空気搬送手段（９５，９６）が前記第１空間（３１１）から前記第２空間（３１２）への空気の搬送と前記第２空間（３１２）から前記第１空間（３１１）への空気の搬送とを行うように構成され、
第１空間（３１１）からの空気をフィルタ（３０１，３０２）、前記吸着素子（８１，８２）の順に流通させ、該空気によって前記吸着素子（８１，８２）を再生してから該空気を前記第２空間（３１２）に供給する通常運転としての再生運転と、
第２空間（３１２）からの空気を前記吸着素子（８１，８２）、フィルタ（３０１，３０２）の順に流通させ、該空気中の水分を前記吸着素子（８１，８２）に吸着させてから該空気を前記第１空間（３１１）に排出する浄化運転としての吸着運転とを選択的に実行する
請求の範囲第１項に記載の空気調和装置。
【請求項６】
吸着材を備える吸着素子（８１，８２）が前記空気調和用素子として設けられ、
空気通路（５３〜５６）が第１空間（３１１）と第２空間（３１２）の両方に連通し、
空気搬送手段（９５，９６）が前記第１空間（３１１）から前記第２空間（３１２）への空気の搬送と前記第２空間（３１２）から前記第１空間（３１１）への空気の搬送とを行うように構成され、
空気通路（５３〜５６）における前記吸着素子（８１，８２）の第１空間（３１１）側に前記フィルタとしての第１空間側フィルタ（３０１ａ，３０２ａ）が設けられ、
前記空気通路（５３〜５６）における前記吸着素子（８１，８２）の第２空間（３１２）側に第２空間側フィルタ（３０１ｂ，３０２ｂ）が設けられる一方、
前記第１空間（３１１）からの空気を前記第１空間側フィルタ（３０１ｂ，３０２ｂ）、前記吸着素子（８１，８２）、前記第２空間側フィルタ（３０１ａ，３０２ａ）の順に流通させ、該空気によって前記吸着素子（８１，８２）を再生してから該空気を前記第２空間（３１２）に供給する通常運転としての再生運転と、
前記第２空間（３１２）からの空気を前記第２空間側フィルタ（３０１ａ，３０２ａ）、前記吸着素子（８１，８２）、前記第１空間側フィルタ（３０１ｂ，３０２ｂ）の順に流通させ、該空気中の水分を前記吸着素子（８１，８２）に吸着させてから該空気を前記第１空間（３１１）に排出する浄化運転としての吸着運転とを選択的に実行する
請求の範囲第１項に記載の空気調和装置。
【請求項７】
第１空間は室外空間（３１１）からなる一方、第２空間は室内空間（３１２）からなり、
前記再生運転によって前記室内空間（３１２）の加湿を行う
請求の範囲第５項又は第６項に記載の空気調和装置。
【請求項８】
吸着材を備える吸着素子（８１，８２）が前記空気調和用素子として設けられ、
空気通路（５３〜５６）が第１空間（３１１）と第２空間（３１２）の両方に連通し、
空気搬送手段（９５，９６）が前記第１空間（３１１）から前記第２空間（３１２）への空気の搬送と前記第２空間（３１２）から前記第１空間（３１１）への空気の搬送とを行うように構成され、
第１空間（３１１）からの空気をフィルタ（３０１，３０２）、前記吸着素子（８１，８２）の順に流通させ、該空気中の水分を前記吸着素子（８１，８２）に吸着させてから該空気を前記第２空間（３１２）に供給する通常運転としての第１吸着運転と、
第２空間（３１２）からの空気を前記吸着素子（８１，８２）、フィルタ（３０１，３０２）の順に流通させ、該空気によって前記吸着素子（８１，８２）を再生してから該空気を前記第１空間（３１１）に排出する浄化運転としての第１再生運転と、
第２空間（３１２）からの空気を前記吸着素子（８１，８２）、フィルタ（３０１，３０２）の順に流通させ、該空気中の水分を前記吸着素子（８１，８２）に吸着させてから該空気を前記第１空間（３１１）に排出する浄化運転としての第２吸着運転と、
第１空間（３１１）からの空気をフィルタ（３０１，３０２）、前記吸着素子（８１，８２）の順に流通させ、該空気によって前記吸着素子（８１，８２）を再生してから該空気を前記第２空間（３１２）に供給する通常運転としての第２再生運転とを選択的に実行する
請求の範囲第１項に記載の空気調和装置。
【請求項９】
吸着材を備える吸着素子（８１，８２）が前記空気調和用素子として設けられ、
空気通路（５３〜５６）が第１空間（３１１）と第２空間（３１２）の両方に連通し、
空気搬送手段（９５，９６）が前記第１空間（３１１）から前記第２空間（３１２）への空気の搬送と前記第２空間（３１２）から前記第１空間（３１１）への空気の搬送とを行うように構成され、
前記フィルタとしての第１空間側フィルタ（３０１ａ，３０２ａ）が空気通路（５３〜５６）における前記吸着素子（８１，８２）の第１空間（３１１）側に設けられ、
前記空気通路（５３〜５６）における前記吸着素子（８１，８２）の第２空間（３１２）側に第２空間側フィルタ（３０１ｂ，３０２ｂ）が設けられる一方、
前記第１空間（３１１）からの空気を前記第１空間側フィルタ（３０１ａ，３０２ａ）、前記吸着素子（８１，８２）、前記第２空間側フィルタ（３０１ｂ，３０２ｂ）の順に流通させ、該空気中の水分を前記吸着素子（８１，８２）に吸着させてから該空気を前記第２空間（３１２）に供給する通常運転としての第１吸着運転と、
前記第２空間（３１２）からの空気を前記第２空間側フィルタ（３０１ｂ，３０２ｂ）、前記吸着素子（８１，８２）、前記第１空間側フィルタ（３０１ａ，３０２ａ）の順に流通させ、該空気によって前記吸着素子（８１，８２）を再生してから該空気を前記第１空間（３１１）に供給する浄化運転としての第１再生運転と、
前記第２空間（３１２）からの空気を前記第２空間側フィルタ（３０１ｂ，３０２ｂ）、前記吸着素子（８１，８２）、前記第１空間側フィルタ（３０１ａ，３０２ａ）の順に流通させ、該空気中の水分を前記吸着素子（８１，８２）に吸着させてから該空気を前記第１空間（３１１）に供給する浄化運転としての第２吸着運転と、
前記第１空間（３１１）からの空気を前記第１空間側フィルタ（３０１ａ，３０２ａ）、前記吸着素子（８１，８２）、前記第２空間側フィルタ（３０１ｂ，３０２ｂ）の順に流通させ、該空気によって前記吸着素子（８１，８２）を再生してから該空気を前記第２空間（３１２）に供給する通常運転としての第２再生運転とを選択的に実行する
請求の範囲第１項に記載の空気調和装置。
【請求項１０】
第１空間は室外空間（３１１）からなる一方、第２空間は室内空間（３１２）からなり、
前記第１吸着運転によって前記室内空間（３１２）の除湿を行う一方、前記第２再生運転によって前記室内空間（３１２）の加湿を行う
請求の範囲第８項又は第９項に記載の空気調和装置。
【請求項１１】
第１の空気通路（５３，５４）に第１の吸着素子（８１）及び第１のフィルタ（３０１）が、第２の空気通路（５５，５６）に第２の吸着素子（８２）及び第２のフィルタ（３０２）がそれぞれ設けられ、
前記第１の吸着素子（８１）についての吸着運転と前記第２の吸着素子（８２）についての再生運転とを同時に行う第１動作と、前記第１の吸着素子（８１）についての再生運転と前記第２の吸着素子（８２）についての吸着運転とを同時に行う第２動作とを交互に実行する
請求の範囲第２項、第３項、第５項、第６項、第８項又は第９項に記載の空気調和装置。
【請求項１２】
第１の空気通路（２５１）では第１空間（３１１）から第２空間（３１２）へ向けて空気が流通する一方、第２の空気通路（２５２）では第２空間（３１２）から第１空間（３１１）へ向けて空気が流通し、
吸着材を備えると共に前記第１の空気通路（２５１）及び前記第２の空気通路（２５２）に跨って配置されて回転する回転式吸着素子（２５３）が前記空気調和用素子として設けられ、
前記回転式吸着素子（２５３）よりも前記第１空間（３１１）側に設けられると共に前記第１の空気通路（２５１）及び前記第２の空気通路（２５２）に跨って配置されて前記回転式吸着素子（２５３）と一体的に回転する回転式フィルタ（２５４）が前記フィルタとして設けられ、
前記第１の空気通路（２５１）において空気を前記回転式フィルタ（２５４）、前記回転式吸着素子（２５３）の順に流通させ、該空気中の水分を前記回転式吸着素子（２５３）に吸着させてから該空気を前記第２空間（３１２）に供給する運転が通常運転として行われると同時に、
前記第２の空気通路（２５２）において空気を前記回転式吸着素子（２５３）、前記回転式フィルタ（２５４）の順に流通させ、該空気によって前記回転式吸着素子（２５３）を再生してから該空気を前記第１空間（３１１）に排出する運転が浄化運転として行われる
請求の範囲第１項に記載の空気調和装置。
【請求項１３】
第１の空気通路（２５１）では第２空間（３１２）から第１空間（３１１）へ向けて空気が流通する一方、第２の空気通路（２５２）では第１空間（３１１）から第２空間（３１２）へ向けて空気が流通し、
吸着材を備えると共に前記第１の空気通路（２５１）及び前記第２の空気通路（２５２）に跨って配置されて回転する回転式吸着素子（２５３）が前記空気調和用素子として設けられ、
前記回転式吸着素子（２５３）よりも前記第１空間（３１１）側に設けられると共に前記第１の空気通路（２５１）及び前記第２の空気通路（２５２）に跨って配置されて前記回転式吸着素子（２５３）と一体的に回転する回転式フィルタ（２５４）が前記フィルタとして設けられ、
前記第１の空気通路（２５１）において空気を前記回転式吸着素子（２５３）、前記回転式フィルタ（２５４）の順に流通させ、該空気中の水分を前記回転式吸着素子（２５３）に吸着させてから該空気を前記第１空間（３１１）に排出する運転が通常運転として行われると同時に、
前記第２の空気通路（２５２）において空気を前記回転式フィルタ（２５４）、前記回転式吸着素子（２５３）の順に流通させ、該空気によって前記回転式吸着素子（２５３）を再生してから該空気を前記第２空間（３１２）に供給する運転が浄化運転として行われる
請求の範囲第１項に記載の空気調和装置。
【請求項１４】
第１空間は室外空間（３１１）からなり、第２空間は室内空間（３１２）からなる
請求の範囲第１２項又は第１３項に記載の空気調和装置。
【請求項１５】
第１の空気通路（３６１）では第２空間（３１２）から第１空間（３１１）へ向けて空気が流通する一方、第２の空気通路（３６２）では第１空間（３１１）から第２空間（３１２）へ向けて空気が流通し、
第１の空気通路（２５１）を流れる空気と第２の空気通路（２５２）を流れる空気との間で熱及び水分の交換を行わせる全熱交換器（３６３）が前記空気調和用素子として設けられている
請求の範囲第１項に記載の空気調和装置。
【発明の詳細な説明】
【技術分野】    本発明は、処理を施した空気を室内等へ供給する空気調和装置に関する。
【背景技術】    従来より、空気調和装置の一種として、いわゆる全熱交換器（５０３）を備えた換気装置が知られている。図３９に示すように、この換気装置は、室外空気を室内に供給する給気通路（５０１）と、室内空気を室外に排出する排気通路（５０２）とを備えている。なお、図中の“ＯＡ”は室外空気を示し、“ＳＡ”は室内に供給される空気（給気）を示し、“ＲＡ”は室内空気を示し、“ＥＡ”は室外に排出される空気（排気）を示している。
全熱交換器（５０３）は第１流路（５０４）と第２流路（５０５）とを有しており、第１流路（５０４）は給気通路（５０１）内に配置され、第２流路（５０５）は排気通路（５０２）内に配置されている。第１流路（５０４）及び第２流路（５０５）の上流側には、全熱交換器（５０３）の内部に塵埃等が混入しないように、それぞれフィルタ（５０６，５０７）が設けられている。
上記換気装置では、給気通路（５０１）に吸い込まれた室外空気は、全熱交換器（５０３）の第１流路（５０４）を通過し、室内に供給される。一方、排気通路（５０２）に吸い込まれた室内空気は、全熱交換器（５０３）の第２流路（５０５）を通過し、室外に排出される。そして、全熱交換器（５０３）では、第１流路（５０４）を流れる室外空気と第２流路（５０５）を流れる室内空気との間で熱と水分の交換が行われる。
また、空気調和装置としては、例えば特開平９−３２９３７１号公報に開示されているような調湿装置も知られている。この調湿装置は、空気中の水分を吸着する吸着素子を備え、換気用の給気を吸着素子で減湿して室内へ供給すると共に、換気用の排気で吸着素子を再生する。
本発明者は、全熱交換器（５０３）を有する前記換気装置の構成を応用し、前記換気装置における全熱交換器（５０３）の代わりに、下記の調湿側通路と冷却側通路とを有する吸着素子を設けることを考案した。すなわち、吸着素子に流通空気の水分を吸着するための調湿側通路と、吸着熱によって暖められた吸着素子を流通空気によって冷却する冷却側通路とを設け、給気通路（５０１）に上記調湿側通路を配置する一方、排気通路（５０２）に上記冷却側通路を設ける。このことにより、室外空気を除湿して室内に供給すると共に、室外に排出する室内空気を利用して吸着素子を冷却することが可能となる。
−解決課題−
ところが、従来の構成をそのまま応用しただけでは、以下のような課題があった。
すなわち、従来は、空気通路における空気の流通方向が一方通行であったため、長時間の運転の後にフィルタに相当程度の埃等が堆積し、全熱交換器や吸着素子の性能が劣化したりその寿命が短縮化するおそれがあった。例えば、道路に面している建物に設置された換気装置では、室外空気に多量の塵埃が含まれているため、室外側のフィルタに多くの埃が堆積し、上記課題は顕著なものとなる。
これに対し、全熱交換器や吸着素子の性能劣化や短寿命化を防止するために、フィルタを定期的に清掃することが考えられる。しかし、定期的な清掃が必要不可欠な装置では、メンテナンスの負担が大きく、また、メンテナンスコストの上昇を招くおそれがある。
本発明は、かかる点に鑑みてなされたものであり、その目的とするところは、全熱交換器や吸着素子などの空気調和用素子を備える空気調和装置において、空気調和用素子の性能劣化の防止及び長寿命化を図る一方、メンテナンスの負担軽減及びメンテナンスコストの低減を図ることにある。
【発明の開示】
本発明は、空気調和装置の空気調和用素子にフィルタを設け、通常運転時と浄化運転時とで空気の流通方向を逆方向にすることにより、通常運転時にはフィルタによる集塵を行い、浄化運転時にはフィルタに付着している塵埃等を空気によって自動的に除去することとした。
上記第１の発明は、第１空間（３１１）と第２空間（３１２）の何れか一方又は両方に連通する空気通路（５３，５４，…）と、前記空気通路（５３，５４，…）を第２空間（３１２）へ向けて流れる空気の温度及び湿度の少なくとも一方を調節するための空気調和用素子（８１，８２，…）と、前記空気通路（５３，５４，…）を前記第１空間（３１１）から前記空気調和用素子（８１，８２，…）へ向けて流れる空気中の異物を捕集するためのフィルタ（３０１，３０２，…）と、前記空気通路（５３，５４，…）における空気の搬送を行う空気搬送手段（９５，９６）とを備え、温度及び湿度の少なくとも一方が調節された空気を第２空間（３１２）へ供給する空気調和装置を対象としている。そして、前記空気通路（５３，５４，…）において空気が前記フィルタ（３０１，３０２，…）を通過後に前記空気調和用素子（８１，８２，…）を通過して第２空間（３１２）へ供給される通常運転と、前記空気通路（５３，５４，…）において空気が前記空気調和用素子（８１，８２，…）を通過後に前記フィルタ（３０１，３０２，…）を通過して前記第１空間（３１１）へ排出される浄化運転とが実行可能となっているものである。
上記第１の発明の空気調和装置の通常運転では、空気通路（５３，５４，…）において、第１空間（３１１）から取り込まれた空気がフィルタ（３０１，３０２，…）を通過後に空気調和用素子（８１，８２，…）へ流入する。空気がフィルタ（３０１，３０２，…）を通過する際には、空気に含まれる塵埃などがフィルタ（３０１，３０２，…）に捕集される。通常運転中において、フィルタ（３０１，３０２，…）には、上記空気から除去された塵埃などが次第に堆積していく。フィルタ（３０１，３０２，…）により浄化された空気は、空気調和用素子（８１，８２，…）において処理が施され、その温度と湿度の何れか一方又は両方が調節される。第２空間（３１２）へは、空気調和用素子（８１，８２，…）で処理を施した空気が供給される。
一方、上記空気調和装置の浄化運転では、空気通路（５３，５４，…）において、第２空間（３１２）から取り込まれた空気が空気調和用素子（８１，８２，…）を通過後にフィルタ（３０１，３０２，…）を通過する。つまり、浄化運転と通常運転では、フィルタ（３０１，３０２，…）を通過する空気の流れが逆方向となる。このため、通常運転においてフィルタ（３０１，３０２，…）に堆積した塵埃などは、浄化運転における空気の流れによってフィルタ（３０１，３０２，…）から引き剥がされ、その後に第１空間（３１１）へと排出される。このように、通常運転ではフィルタ（３０１，３０２，…）に塵埃等が堆積するが、浄化運転ではフィルタ（３０１，３０２，…）の塵埃が自動的に除去されてフィルタ（３０１，３０２，…）の清掃が行われる。
上記第２の発明は、上記第１の発明において、吸着材を備える吸着素子（８１，８２）が前記空気調和用素子として設けられ、空気通路（５３〜５６）が第１空間（３１１）と第２空間（３１２）の両方に連通し、空気搬送手段（９５，９６）が前記第１空間（３１１）から前記第２空間（３１２）への空気の搬送と前記第２空間（３１２）から前記第１空間（３１１）への空気の搬送とを行うように構成され、第１空間（３１１）からの空気をフィルタ（３０１，３０２）、前記吸着素子（８１，８２）の順に流通させ、該空気中の水分を前記吸着素子（８１，８２）に吸着させてから該空気を前記第２空間（３１２）に供給する通常運転としての吸着運転と、第２空間（３１２）からの空気を前記吸着素子（８１，８２）、フィルタ（３０１，３０２）の順に流通させ、該空気によって前記吸着素子（８１，８２）を再生してから該空気を前記第１空間（３１１）に排出する浄化運転としての再生運転とを選択的に実行するものである。
上記第２の発明の空気調和装置において、吸着運転時には、第１空間（３１１）からの空気がフィルタ（３０１，３０２）から吸着素子（８１，８２）の順に通過する。上記空気は、フィルタ（３０１，３０２）によって浄化され、吸着素子（８１，８２）によって除湿された後に第２空間へ供給される。その間、フィルタ（３０１，３０２）には、上記空気から除去された塵埃等が堆積していく。一方、再生運転時には、第２空間（３１２）からの空気が吸着素子（８１，８２）からフィルタ（３０１，３０２）の順に通過する。上記空気は、吸着素子（８１，８２）を再生し、フィルタ（３０１，３０２）から塵埃等を除去した後に第１空間（３１１）へ排出される。つまり、吸着運転時にはフィルタ（３０１，３０２）に塵埃等が堆積するが、再生運転時にはフィルタ（３０１，３０２）の塵埃が自動的に除去されてフィルタ（３０１，３０２）の清掃が行われる。
上記第３の発明は、上記第１の発明において、吸着材を備える吸着素子（８１，８２）が前記空気調和用素子として設けられ、空気通路（５３〜５６）が第１空間（３１１）と第２空間（３１２）の両方に連通し、空気搬送手段（９５，９６）が前記第１空間（３１１）から前記第２空間（３１２）への空気の搬送と前記第２空間（３１２）から前記第１空間（３１１）への空気の搬送とを行うように構成され、空気通路（５３〜５６）における前記吸着素子（８１，８２）の第１空間（３１１）側に前記フィルタとしての第１空間側フィルタ（３０１ａ，３０２ａ）が設けられ、前記空気通路（５３〜５６）における前記吸着素子（８１，８２）の第２空間（３１２）側に第２空間側フィルタ（３０１ｂ，３０２ｂ）が設けられる一方、前記第１空間（３１１）からの空気を前記第１空間側フィルタ（３０１ａ，３０２ａ）、前記吸着素子（８１，８２）、前記第２空間側フィルタ（３０１ｂ，３０２ｂ）の順に流通させ、該空気中の水分を前記吸着素子（８１，８２）に吸着させてから該空気を前記第２空間（３１２）に供給する通常運転としての吸着運転と、前記第２空間（３１２）からの空気を前記第２空間側フィルタ（３０１ｂ，３０２ｂ）、前記吸着素子（８１，８２）、前記第１空間側フィルタ（３０１ａ，３０２ａ）の順に流通させ、該空気によって前記吸着素子（８１，８２）を再生してから該空気を前記第１空間（３１１）に排出する浄化運転としての再生運転とを選択的に実行するものである。
上記第３の発明の空気調和装置では、フィルタが吸着素子（８１，８２）の両側に設けられているので、吸着素子（８１，８２）の性能劣化がより効果的に防止される。吸着運転時には、第１空間側フィルタ（３０１ａ，３０２ａ）に塵埃等が堆積するが、第２空間側フィルタ（３０１ｂ，３０２ｂ）の塵埃が自動的に除去され、第２空間側フィルタ（３０１ｂ，３０２ｂ）の清掃が行われる。一方、再生運転時には、第２空間側フィルタ（３０１ｂ，３０２ｂ）に塵埃等が堆積するが、第１空間側フィルタ（３０１ａ，３０２ａ）の塵埃が自動的に除去され、第１空間側フィルタ（３０１ａ，３０２ａ）の清掃が行われる。
上記第４の発明は、上記第２又は第３の発明において、第１空間は室外空間（３１１）からなる一方、第２空間は室内空間（３１２）からなり、前記吸着運転によって前記室内空間（３１２）の除湿を行うものである。
上記第４の発明の空気調和装置では、室内空間（３１２）の除湿が行われる。
上記第５の発明は、上記第１の発明において、吸着材を備える吸着素子（８１，８２）が前記空気調和用素子として設けられ、空気通路（５３〜５６）が第１空間（３１１）と第２空間（３１２）の両方に連通し、空気搬送手段（９５，９６）が前記第１空間（３１１）から前記第２空間（３１２）への空気の搬送と前記第２空間（３１２）から前記第１空間（３１１）への空気の搬送とを行うように構成され、第１空間（３１１）からの空気をフィルタ（３０１，３０２）、前記吸着素子（８１，８２）の順に流通させ、該空気によって前記吸着素子（８１，８２）を再生してから該空気を前記第２空間（３１２）に供給する通常運転としての再生運転と、第２空間（３１２）からの空気を前記吸着素子（８１，８２）、フィルタ（３０１，３０２）の順に流通させ、該空気中の水分を前記吸着素子（８１，８２）に吸着させてから該空気を前記第１空間（３１１）に排出する浄化運転としての吸着運転とを選択的に実行するものである。
上記第５の発明の空気調和装置において、再生運転時には、第１空間（３１１）からの空気がフィルタ（３０１，３０２）から吸着素子の順に通過する。上記空気は、フィルタ（３０１，３０２）によって浄化され、吸着素子（８１，８２）を再生した後に第２空間（３１２）へ供給される。その間、フィルタ（３０１，３０２）には、捕捉された上記空気中の塵埃等が堆積していく。一方、吸着運転時には、第２空間（３１２）からの空気が吸着素子（８１，８２）からフィルタ（３０１，３０２）の順に通過する。上記空気は、吸着素子（８１，８２）により除湿され、フィルタ（３０１，３０２）から塵埃等を除去した後に第１空間（３１１）へ排出される。つまり、再生運転時にはフィルタ（３０１，３０２）に塵埃等が堆積するが、吸着運転時にはフィルタ（３０１，３０２）の塵埃が自動的に除去されてフィルタ（３０１，３０２）の清掃が行われる。
上記第６の発明は、上記第１の発明において、吸着材を備える吸着素子（８１，８２）が前記空気調和用素子として設けられ、空気通路（５３〜５６）が第１空間（３１１）と第２空間（３１２）の両方に連通し、空気搬送手段（９５，９６）が前記第１空間（３１１）から前記第２空間（３１２）への空気の搬送と前記第２空間（３１２）から前記第１空間（３１１）への空気の搬送とを行うように構成され、空気通路（５３〜５６）における前記吸着素子（８１，８２）の第１空間（３１１）側に前記フィルタとしての第１空間側フィルタ（３０１ａ，３０２ａ）が設けられ、前記空気通路（５３〜５６）における前記吸着素子（８１，８２）の第２空間（３１２）側に第２空間側フィルタ（３０１ｂ，３０２ｂ）が設けられる一方、前記第１空間（３１１）からの空気を前記第１空間側フィルタ（３０１ｂ，３０２ｂ）、前記吸着素子（８１，８２）、前記第２空間側フィルタ（３０１ａ，３０２ａ）の順に流通させ、該空気によって前記吸着素子（８１，８２）を再生してから該空気を前記第２空間（３１２）に供給する通常運転としての再生運転と、前記第２空間（３１２）からの空気を前記第２空間側フィルタ（３０１ａ，３０２ａ）、前記吸着素子（８１，８２）、前記第１空間側フィルタ（３０１ｂ，３０２ｂ）の順に流通させ、該空気中の水分を前記吸着素子（８１，８２）に吸着させてから該空気を前記第１空間（３１１）に排出する浄化運転としての吸着運転とを選択的に実行するものである。
上記第６の発明の空気調和装置では、フィルタが吸着素子（８１，８２）の両側に設けられているので、吸着素子（８１，８２）の品質劣化がより効果的に防止される。再生運転時には、第１空間側フィルタ（３０１ａ，３０２ａ）に塵埃等が堆積するが、第２空間側フィルタ（３０１ｂ，３０２ｂ）の塵埃が自動的に除去され、第２空間側フィルタ（３０１ｂ，３０２ｂ）の清掃が行われる。一方、吸着運転時には、第２空間側フィルタ（３０１ｂ，３０２ｂ）に塵埃等が堆積するが、第１空間側フィルタ（３０１ａ，３０２ａ）の塵埃が自動的に除去され、第１空間側フィルタ（３０１ａ，３０２ａ）の清掃が行われる。
上記第７の発明は、上記第５又は第６の発明において、第１空間は室外空間（３１１）からなる一方、第２空間は室内空間（３１２）からなり、前記再生運転によって前記室内空間（３１２）の加湿を行うものである。
上記第７の発明の空気調和装置では、室内空間（３１２）の加湿が行われる。
上記第８の発明は、上記第１の発明において、吸着材を備える吸着素子（８１，８２）が前記空気調和用素子として設けられ、空気通路（５３〜５６）が第１空間（３１１）と第２空間（３１２）の両方に連通し、空気搬送手段（９５，９６）が前記第１空間（３１１）から前記第２空間（３１２）への空気の搬送と前記第２空間（３１２）から前記第１空間（３１１）への空気の搬送とを行うように構成され、第１空間（３１１）からの空気をフィルタ（３０１，３０２）、前記吸着素子（８１，８２）の順に流通させ、該空気中の水分を前記吸着素子（８１，８２）に吸着させてから該空気を前記第２空間（３１２）に供給する通常運転としての第１吸着運転と、第２空間（３１２）からの空気を前記吸着素子（８１，８２）、フィルタ（３０１，３０２）の順に流通させ、該空気によって前記吸着素子（８１，８２）を再生してから該空気を前記第１空間（３１１）に排出する浄化運転としての第１再生運転と、第２空間（３１２）からの空気を前記吸着素子（８１，８２）、フィルタ（３０１，３０２）の順に流通させ、該空気中の水分を前記吸着素子（８１，８２）に吸着させてから該空気を前記第１空間（３１１）に排出する浄化運転としての第２吸着運転と、第１空間（３１１）からの空気をフィルタ（３０１，３０２）、前記吸着素子（８１，８２）の順に流通させ、該空気によって前記吸着素子（８１，８２）を再生してから該空気を前記第２空間（３１２）に供給する通常運転としての第２再生運転とを選択的に実行するものである。
上記第８の発明の空気調和装置において、第１吸着運転時には、第１空間（３１１）からの空気がフィルタ（３０１，３０２）から吸着素子（８１，８２）の順に通過する。上記空気は、フィルタ（３０１，３０２）によって浄化され、吸着素子（８１，８２）によって除湿された後に第２空間（３１２）へ供給される。第１再生運転時には、第２空間（３１２）からの空気が吸着素子（８１，８２）からフィルタ（３０１，３０２）の順に通過する。上記空気は、吸着素子（８１，８２）を再生し、フィルタ（３０１，３０２）から塵埃等を除去した後に第１空間（３１１）へ排出される。このように、第１吸着運転時にはフィルタ（３０１，３０２）に塵埃等が堆積するが、第１再生運転時にはフィルタ（３０１，３０２）の塵埃が自動的に除去されてフィルタ（３０１，３０２）の清掃が行われる。
また、この発明の空気調和装置において、第２再生運転時には、第１空間（３１１）からの空気がフィルタ（３０１，３０２）から吸着素子（８１，８２）の順に通過する。上記空気は、フィルタ（３０１，３０２）によって浄化され、吸着素子（８１，８２）を再生した後に第２空間（３１２）へ供給される。第２吸着運転時には、第２空間（３１２）からの空気が吸着素子（８１，８２）からフィルタ（３０１，３０２）の順に通過する。上記空気は、吸着素子（８１，８２）によって除湿され、フィルタ（３０１，３０２）から塵埃等を除去した後に第１空間（３１１）へ排出される。このように、第２再生運転時にはフィルタ（３０１，３０２）に塵埃等が堆積するが、第２吸着運転時にはフィルタ（３０１，３０２）の塵埃が自動的に除去されてフィルタ（３０１，３０２）の清掃が行われる。
上記第９の発明は、上記第１の発明において、吸着材を備える吸着素子（８１，８２）が前記空気調和用素子として設けられ、空気通路（５３〜５６）が第１空間（３１１）と第２空間（３１２）の両方に連通し、空気搬送手段（９５，９６）が前記第１空間（３１１）から前記第２空間（３１２）への空気の搬送と前記第２空間（３１２）から前記第１空間（３１１）への空気の搬送とを行うように構成され、前記フィルタとしての第１空間側フィルタ（３０１ａ，３０２ａ）が空気通路（５３〜５６）における前記吸着素子（８１，８２）の第１空間（３１１）側に設けられ、前記空気通路（５３〜５６）における前記吸着素子（８１，８２）の第２空間（３１２）側に第２空間側フィルタ（３０１ｂ，３０２ｂ）が設けられる一方、前記第１空間（３１１）からの空気を前記第１空間側フィルタ（３０１ａ，３０２ａ）、前記吸着素子（８１，８２）、前記第２空間側フィルタ（３０１ｂ，３０２ｂ）の順に流通させ、該空気中の水分を前記吸着素子（８１，８２）に吸着させてから該空気を前記第２空間（３１２）に供給する通常運転としての第１吸着運転と、前記第２空間（３１２）からの空気を前記第２空間側フィルタ（３０１ｂ，３０２ｂ）、前記吸着素子（８１，８２）、前記第１空間側フィルタ（３０１ａ，３０２ａ）の順に流通させ、該空気によって前記吸着素子（８１，８２）を再生してから該空気を前記第１空間（３１１）に供給する浄化運転としての第１再生運転と、前記第２空間（３１２）からの空気を前記第２空間側フィルタ（３０１ｂ，３０２ｂ）、前記吸着素子（８１，８２）、前記第１空間側フィルタ（３０１ａ，３０２ａ）の順に流通させ、該空気中の水分を前記吸着素子（８１，８２）に吸着させてから該空気を前記第１空間（３１１）に供給する浄化運転としての第２吸着運転と、前記第１空間（３１１）からの空気を前記第１空間側フィルタ（３０１ａ，３０２ａ）、前記吸着素子（８１，８２）、前記第２空間側フィルタ（３０１ｂ，３０２ｂ）の順に流通させ、該空気によって前記吸着素子（８１，８２）を再生してから該空気を前記第２空間（３１２）に供給する通常運転としての第２再生運転とを選択的に実行するものである。
上記第９の発明の空気調和装置では、フィルタが吸着素子（８１，８２）の両側に設けられているので、吸着素子（８１，８２）の性能劣化がより効果的に防止される。第１吸着運転時及び第２再生運転時には、第１空間側フィルタ（３０１ａ，３０２ａ）に塵埃等が堆積するが、第２空間側フィルタ（３０１ｂ，３０２ｂ）の塵埃等が自動的に除去され、第２空間側フィルタ（３０１ｂ，３０２ｂ）の清掃が行われる。一方、第１再生運転時及び第２吸着運転時には、第２空間側フィルタ（３０１ｂ，３０２ｂ）に塵埃等が堆積するが、第１空間側フィルタ（３０１ａ，３０２ａ）の塵埃が自動的に除去され、第１空間側フィルタ（３０１ａ，３０２ａ）の清掃が行われる。
上記第１０の発明は、上記第８又は第９の発明において、第１空間は室外空間（３１１）からなる一方、第２空間は室内空間（３１２）からなり、前記第１吸着運転によって前記室内空間（３１２）の除湿を行う一方、前記第２再生運転によって前記室内空間（３１２）の加湿を行うものである。
上記第１０の発明の空気調和装置では、室内空間（３１２）の除湿及び加湿が行われる。
上記第１１の発明は、上記第２，第３，第５，第６，第８又は第９の発明において、第１の空気通路（５３，５４）に第１の吸着素子（８１）及び第１のフィルタ（３０１）が、第２の空気通路（５５，５６）に第２の吸着素子（８２）及び第２のフィルタ（３０２）がそれぞれ設けられ、前記第１の吸着素子（８１）についての吸着運転と前記第２の吸着素子（８２）についての再生運転とを同時に行う第１動作と、前記第１の吸着素子（８１）についての再生運転と前記第２の吸着素子（８２）についての吸着運転とを同時に行う第２動作とを交互に実行するものである。
上記第１１の発明の空気調和装置では、第１動作と第２動作とが交互に行われ、いわゆるバッチ動作が行われる。このことにより、除湿又は加湿を継続的に行うことが可能となる。
上記第１２の発明は、上記第１の発明において、第１の空気通路（２５１）では第１空間（３１１）から第２空間（３１２）へ向けて空気が流通する一方、第２の空気通路（２５２）では第２空間（３１２）から第１空間（３１１）へ向けて空気が流通し、吸着材を備えると共に前記第１の空気通路（２５１）及び前記第２の空気通路（２５２）に跨って配置されて回転する回転式吸着素子（２５３）が前記空気調和用素子として設けられ、前記回転式吸着素子（２５３）よりも前記第１空間（３１１）側に設けられると共に前記第１の空気通路（２５１）及び前記第２の空気通路（２５２）に跨って配置されて前記回転式吸着素子（２５３）と一体的に回転する回転式フィルタ（２５４）が前記フィルタとして設けられ、前記第１の空気通路（２５１）において空気を前記回転式フィルタ（２５４）、前記回転式吸着素子（２５３）の順に流通させ、該空気中の水分を前記回転式吸着素子（２５３）に吸着させてから該空気を前記第２空間（３１２）に供給する運転が通常運転として行われると同時に、前記第２の空気通路（２５２）において空気を前記回転式吸着素子（２５３）、前記回転式フィルタ（２５４）の順に流通させ、該空気によって前記回転式吸着素子（２５３）を再生してから該空気を前記第１空間（３１１）に排出する運転が浄化運転として行われるものである。
上記第１２の発明の空気調和装置において、第１の空気通路（２５１）では、第１空間（３１１）からの空気が回転式フィルタ（２５４）から回転式吸着素子（２５３）の順に流れ、回転式フィルタに空気中の塵埃などが捕集されると共に、回転式吸着素子（２５３）に空気中の水分が吸着される。一方、第２の空気通路（３１２）では、第２空間（３１２）からの空気が回転式吸着素子（２５３）から回転式フィルタ（２５４）の順に流れ、回転式吸着素子（２５３）の再生が行われると共に、回転式フィルタ（２５４）から塵埃が自動的に除去されて回転式フィルタ（２５４）の清掃が行われる。
上記第１３の発明は、上記第１の発明において、第１の空気通路（２５１）では第２空間（３１２）から第１空間（３１１）へ向けて空気が流通する一方、第２の空気通路（２５２）では第１空間（３１１）から第２空間（３１２）へ向けて空気が流通し、吸着材を備えると共に前記第１の空気通路（２５１）及び前記第２の空気通路（２５２）に跨って配置されて回転する回転式吸着素子（２５３）が前記空気調和用素子として設けられ、前記回転式吸着素子（２５３）よりも前記第１空間（３１１）側に設けられると共に前記第１の空気通路（２５１）及び前記第２の空気通路（２５２）に跨って配置されて前記回転式吸着素子（２５３）と一体的に回転する回転式フィルタ（２５４）が前記フィルタとして設けられ、前記第１の空気通路（２５１）において空気を前記回転式吸着素子（２５３）、前記回転式フィルタ（２５４）の順に流通させ、該空気中の水分を前記回転式吸着素子（２５３）に吸着させてから該空気を前記第１空間（３１１）に排出する運転が通常運転として行われると同時に、前記第２の空気通路（２５２）において空気を前記回転式フィルタ（２５４）、前記回転式吸着素子（２５３）の順に流通させ、該空気によって前記回転式吸着素子（２５３）を再生してから該空気を前記第２空間（３１２）に供給する運転が浄化運転として行われるものである。
上記第１３の発明の空気調和装置において、第２の空気通路（２５２）では、第１空間（３１１）からの空気が回転式フィルタ（２５４）から回転式吸着素子（２５３）の順に流れ、回転式フィルタ（２５４）に空気中の塵埃などが捕集されると共に、回転式吸着素子（２５３）の再生が行われる。一方、第１の空気通路（２５１）においては、第２空間（３１２）からの空気が回転式吸着素子（２５３）から回転式フィルタ（２５４）の順に流れ、回転式吸着素子（２５３）の吸着が行われると共に、回転式フィルタ（２５４）から塵埃が自動的に除去されて回転式フィルタ（２５４）の清掃が行われる。
上記第１４の発明は、上記第１２又は第１３の発明において、第１空間は室外空間（３１１）からなり、第２空間は室内空間（３１２）からなるものである。
上記第１４の発明の空気調和装置では、室内空間（３１２）の除湿又は加湿が継続的に行われる。
上記第１５の発明は、上記第１の発明において、第１の空気通路（３６１）では第２空間（３１２）から第１空間（３１１）へ向けて空気が流通する一方、第２の空気通路（３６２）では第１空間（３１１）から第２空間（３１２）へ向けて空気が流通し、第１の空気通路（２５１）を流れる空気と第２の空気通路（２５２）を流れる空気との間で熱及び水分の交換を行わせる全熱交換器（３６３）が前記空気調和用素子として設けられるものである。
上記第１５の発明の空気調和装置では、全熱交換器（３６３）が空気調和用素子として設置される。全熱交換器（３６３）へは、第１の空気通路（２５１）を流れる空気と第２の空気通路（２５２）を流れる空気とが導入される。第１の空気通路（２５１）を流れる空気は、フィルタ（３６６）を通過する際に浄化され、その後に全熱交換器（３６３）へ流入する。全熱交換器（３６３）では、導入された二種類の空気の間で熱と水分の交換が行われる。つまり、全熱交換器（３６３）では、第２空間（３１２）から第１空間（３１１）へ向かう空気と、第１空間（３１１）から第２空間（３１２）へ向かう空気との間で、顕熱と潜熱の両方が交換される。第２空間（３１２）から取り込まれて第１の空気通路（２５１）を流れる空気は、その温度及び湿度が全熱交換器（３６３）において調節され、その後に第１空間（３１１）へ供給される。
−効果−
本発明によれば、通常運転ではフィルタ（３０１，３０２，…）によって空気中の塵埃等を捕集することができ、浄化運転ではフィルタ（３０１，３０２，…）に付着している塵埃等を流通空気によって除去することができる。つまり、フィルタ（３０１，３０２，…）を空気調和装置から取り外さなくても、浄化運転を行うことによってフィルタ（３０１，３０２，…）を清掃することができる。このため、清掃作業に伴うフィルタ（３０１，３０２，…）の着脱が不要となり、空気調和装置の保守作業に要する工数を削減できる。その結果、空気調和装置のメンテナンスに要する労力を軽減でき、そのメンテナンスコストを削減できる。
また、本発明によれば、浄化運転を行うことで容易にフィルタ（３０１，３０２，…）を清浄な状態に保つことができ、フィルタ（３０１，３０２，…）の目詰まりに起因する空気流量の低下を防止することができる。更には、フィルタ（３０１，３０２，…）による空気中の塵埃などの捕集を確実に行うことができ、塵埃などによる空気調和用素子（８１，８２，…）の性能劣化を抑制することができ、空気調和用素子（８１，８２，…）の長寿命化を図ることができる。
上記第２及び第３の発明によれば、空気調和用素子としての吸着素子（８１，８２）を備えて第２空間（３１２）へ供給される空気の除湿が可能な空気調和装置において、フィルタ（３０１，３０２）の目詰まりに起因する性能低下を防止することができ、メンテナンスの負担軽減やメンテナンスコストの削減を図ることができる。
上記第５及び第６の発明によれば、空気調和用素子としての吸着素子（８１，８２）を備えて第２空間（３１２）へ供給される空気の加湿が可能な空気調和装置において、フィルタ（３０１，３０２）の目詰まりに起因する性能低下を防止することができ、メンテナンスの負担軽減やメンテナンスコストの削減を図ることができる。
上記第８及び第９の発明によれば、空気調和用素子としての吸着素子（８１，８２）を備えて第２空間（３１２）へ供給される空気の除湿と加湿とが可能な空気調和装置において、フィルタ（３０１，３０２）の目詰まりに起因する性能低下を防止することができ、メンテナンスの負担軽減やメンテナンスコストの削減を図ることができる。
特に、上記第３，第６及び第９の発明によれば、吸着素子（８１，８２）の両側にフィルタ（３０１ａ，３０１ｂ，…）を設けているので、吸着素子（８１，８２）の性能劣化をより効果的に防止することができる。また、吸着素子（８１，８２）のさらなる長寿命化を図ることができる。
上記第１１の発明によれば、第１の吸着素子（８１）の吸着運転と第２の吸着素子（８２）の再生運転とを行う第１動作と、第１の吸着素子（８１）の再生運転と第２の吸着素子（８２）の吸着運転とを行う第２動作とを交互に実行するので、いわゆるバッチ運転によって、除湿又は加湿を継続的に実行することができる。
上記第１２及び第１３の発明によれば、回転式吸着素子（２５３）及び回転式フィルタ（２５４）が第１の空気通路（２５１）と第２の空気通路（２５２）とに跨って配置され且つ回転するので、回転式吸着素子（２５３）の一部において吸着運転を行わせる一方、他の部分において再生運転を行わせることが可能となり、吸着及び再生を継続的に実行することができる。また、第１の空気通路（２５１）において回転式フィルタ（２５４）による集塵が行われる一方、第２の空気通路（２５２）において回転式フィルタ（２５４）の清掃が行われるので、回転式フィルタ（２５４）の集塵及び清掃を継続的に実行することが可能となる。
【図面の簡単な説明】    図１は、実施形態１に係る調湿装置の斜視図である。
図２は、実施形態１に係る調湿装置での第１動作を示す分解斜視図である。
図３は、吸着素子の概略斜視図である。
図４は、実施形態１に係る調湿装置での第２動作を示す分解斜視図である。
図５Ａは、実施形態１の変形例１に係る調湿装置での第１動作を示す要部の概念図である。
図５Ｂは、実施形態１の変形例１に係る調湿装置での第２動作を示す要部の概念図である。
図６Ａは、実施形態１の変形例２に係る調湿装置での第１動作を示す要部の概念図である。
図６Ｂは、実施形態１の変形例２に係る調湿装置での第２動作を示す要部の概念図である。
図７Ａは、実施形態１の変形例３に係る調湿装置での第１動作を示す要部の概念図である。
図７Ｂは、実施形態１の変形例３に係る調湿装置での第２動作を示す要部の概念図である。
図８は、実施形態１の変形例４に係る調湿装置の要部の概念図である。
図９は、実施形態２に係る調湿装置での第１動作を示す分解斜視図である。
図１０は、実施形態２に係る調湿装置での第２動作を示す分解斜視図である。
図１１Ａは、実施形態２の変形例１に係る調湿装置での第１動作を示す要部の概念図である。
図１１Ｂは、実施形態２の変形例１に係る調湿装置での第２動作を示す要部の概念図である。
図１２Ａは、実施形態２の変形例２に係る調湿装置での第１動作を示す要部の概念図である。
図１２Ｂは、実施形態２の変形例２に係る調湿装置での第２動作を示す要部の概念図である。
図１３Ａは、実施形態２の変形例３に係る調湿装置での第１動作を示す要部の概念図である。
図１３Ｂは、実施形態２の変形例３に係る調湿装置での第２動作を示す要部の概念図である。
図１４は、実施形態２の変形例４に係る調湿装置の要部の概念図である。
図１５Ａは、実施形態３に係る調湿装置での除湿時第１動作を示す要部の概念図である。
図１５Ｂは、実施形態３に係る調湿装置での除湿時第２動作を示す要部の概念図である。
図１５Ｃは、実施形態３に係る調湿装置での加湿時第１動作を示す要部の概念図である。
図１５Ｄは、実施形態３に係る調湿装置での加湿時第２動作を示す要部の概念図である。
図１６Ａは、実施形態３の変形例１に係る調湿装置での第１動作を示す要部の概念図である。
図１６Ｂは、実施形態３の変形例１に係る調湿装置での第２動作を示す要部の概念図である。
図１７Ａは、実施形態３の変形例２に係る調湿装置での第１動作を示す要部の概念図である。
図１７Ｂは、実施形態３の変形例２に係る調湿装置での第２動作を示す要部の概念図である。
図１８Ａは、第１変形例に係る換気装置における第１動作中の空気の流通態様を示す図である。
図１８Ｂは、第１変形例に係る換気装置における第２動作中の空気の流通態様を示す図である。
図１９Ａは、第１変形例に係る換気装置における第１動作中の空気の流通態様を示す図である。
図１９Ｂは、第１変形例に係る換気装置における第２動作中の空気の流通態様を示す図である。
図２０Ａは、第１変形例に係る換気装置における第１動作中の空気の流通態様を示す図である。
図２０Ｂは、第１変形例に係る換気装置における第２動作中の空気の流通態様を示す図である。
図２１Ａは、第１変形例に係る換気装置における第１動作中の空気の流通態様を示す図である。
図２１Ｂは、第１変形例に係る換気装置における第２動作中の空気の流通態様を示す図である。
図２２Ａは、第１変形例に係る換気装置における第１動作中の空気の流通態様を示す図である。
図２２Ｂは、第１変形例に係る換気装置における第２動作中の空気の流通態様を示す図である。
図２３Ａは、第１変形例に係る換気装置における第１動作中の空気の流通態様を示す図である。
図２３Ｂは、第１変形例に係る換気装置における第２動作中の空気の流通態様を示す図である。
図２４Ａは、第１変形例に係る換気装置における第１動作中の空気の流通態様を示す図である。
図２４Ｂは、第１変形例に係る換気装置における第２動作中の空気の流通態様を示す図である。
図２５Ａは、第１変形例に係る換気装置における第１動作中の空気の流通態様を示す図である。
図２５Ｂは、第１変形例に係る換気装置における第２動作中の空気の流通態様を示す図である。
図２６Ａは、第１変形例に係る換気装置における第１動作中の空気の流通態様を示す図である。
図２６Ｂは、第１変形例に係る換気装置における第２動作中の空気の流通態様を示す図である。
図２７Ａは、第１変形例に係る換気装置における第１動作中の空気の流通態様を示す図である。
図２７Ｂは、第１変形例に係る換気装置における第２動作中の空気の流通態様を示す図である。
図２８Ａは、第１変形例に係る換気装置における第１動作中の空気の流通態様を示す図である。
図２８Ｂは、第１変形例に係る換気装置における第２動作中の空気の流通態様を示す図である。
図２９Ａは、第２変形例に係る換気装置での除湿時の第１動作中における空気の流通態様を示す図である。
図２９Ｂは、第２変形例に係る換気装置での除湿時の第２動作中における空気の流通態様を示す図である。
図３０Ａは、第２変形例に係る換気装置での加湿時の第１動作中における空気の流通態様を示す図である。
図３０Ｂは、第２変形例に係る換気装置での加湿時の第２動作中における空気の流通態様を示す図である。
図３１Ａは、第２変形例に係る換気装置での除湿時の第１動作中における空気の流通態様を示す図である。
図３１Ｂは、第２変形例に係る換気装置での除湿時の第２動作中における空気の流通態様を示す図である。
図３２Ａは、第２変形例に係る換気装置での加湿時の第１動作中における空気の流通態様を示す図である。
図３２Ｂは、第２変形例に係る換気装置での加湿時の第２動作中における空気の流通態様を示す図である。
図３３Ａは、第２変形例に係る換気装置での除湿時の第１動作中における空気の流通態様を示す図である。
図３３Ｂは、第２変形例に係る換気装置での除湿時の第２動作中における空気の流通態様を示す図である。
図３４Ａは、第２変形例に係る換気装置での加湿時の第１動作中における空気の流通態様を示す図である。
図３４Ｂは、第２変形例に係る換気装置での加湿時の第２動作中における空気の流通態様を示す図である。
図３５Ａは、第３変形例に係る換気装置の構成及び通常運転中の状態を示す概略構成図である。
図３５Ｂは、第３変形例に係る換気装置の構成及び浄化運転中の状態を示す概略構成図である。
図３５Ｃは、第３変形例に係る換気装置の構成及び浄化運転中の状態を示す概略構成図である。
図３６は、全熱交換器の概略斜視図である。
図３７Ａは、第３変形例に係る換気装置の構成及び通常運転中の状態を示す概略構成図である。
図３７Ｂは、第３変形例に係る換気装置の構成及び浄化運転中の状態を示す概略構成図である。
図３８Ａは、第３変形例に係る熱交換装置の構成及び通常運転中の状態を示す概略構成図である。
図３８Ｂは、第３変形例に係る熱交換装置の構成及び浄化運転中の状態を示す概略構成図である。
図３８Ｃは、第３変形例に係る熱交換装置の構成及び浄化運転中の状態を示す概略構成図である。
図３９は、従来の換気装置の概略構成図である。
【発明を実施するための最良の形態】    以下、本発明の実施形態を図面に基づいて詳細に説明する。
《発明の実施形態１》
実施形態１の調湿装置は、本発明に係る空気調和装置により構成されており、室内の除湿と換気とを実行する。図１に示すように、実施形態１に係る調湿装置（１）は、やや扁平な直方体状のケーシング（１０）と、室外空気を吸い込む吸込口（１３）と、室内に空気を吹き出す吹出口（１４）と、室内空気を吸い込む吸込口（１５）と、室外に空気を吹き出す吹出口（１６）とを備えている。
図２に示すように、ケーシング（１０）内には、第１吸着素子（８１）及び第２吸着素子（８２）が収納されている。第１吸着素子（８１）及び第２吸着素子（８２）は、それぞれが空気調和用素子を構成している。また、ケーシング（１０）内には、再生熱交換器（１０２）、第１熱交換器（１０３）及び第２熱交換器（１０４）が設けられている。なお、これら熱交換器（１０２，１０３，１０４）は図示しない冷媒回路に設けられ、内部に冷媒が流通するように構成されている。
図３に示すように、各吸着素子（８１，８２）は、平板状の平板部材（８３）と波形状の波板部材（８４）とを交互に積層して構成されている。平板部材（８３）は、その長辺の長さＬ１がその短辺の長さＬ２の２．５倍となる長方形状に形成されている。つまり、この平板部材（８３）では、Ｌ１／Ｌ２＝２．５となっている。なお、ここに示した数値は例示であり、各辺の長さは特に限定されるものではない。波板部材（８４）は、隣接する波板部材（８４）の稜線方向が互いに９０度ずれた姿勢で積層されている。そして、吸着素子（８１，８２）は、全体として直方体状ないし四角柱状に形成されている。
吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。また、この吸着素子（８１，８２）において、同図の手前側及び奥側の端面は、調湿側通路（８５）と冷却側通路（８６）とのいずれにも開口しない閉塞面を構成している。
吸着素子（８１，８２）において、調湿側通路（８５）に臨む平板部材（８３）の表面や、調湿側通路（８５）に設けられた波板部材（８４）の表面には、空気中の水分すなわち水蒸気を吸着する吸着剤が塗布されている。この種の吸着剤としては、例えばシリカゲル、ゼオライト、イオン交換樹脂等が挙げられる。
図２に示すように、ケーシング（１０）において、最も手前側には室外側パネル（１１）が設けられ、最も奥側には室内側パネル（１２）が設けられている。吸込口（１３）は室外側パネル（１１）の左端寄りに設けられ、吹出口（１６）は室外側パネル（１１）の右端寄りに設けられている。吹出口（１４）は室内側パネル（１２）の左端寄りに設けられ、吸込口（１５）は室内側パネル（１２）の右端寄りに設けられている。
ケーシング（１０）の内部には、手前側から奥側へ向かって順に、第１仕切板（２０）と、第２仕切板（２０１）と、第３仕切板（２２１）と、第４仕切板（３０）とが設けられている。ケーシング（１０）の内部空間は、これら仕切板（２０，２０１，２２１，３０）によって前後に仕切られている。
室外側パネル（１１）と第１仕切板（２０）との間の空間は、上側空間（４１）と下側空間（４２）とに区画されている。上側空間（４１）は、吹出口（１６）を通じて室外空間（３１１）と連通されている。下側空間（４２）は、吸込口（１３）を通じて室外空間（３１１）と連通されている。
上側空間（４１）の右端寄りには、排気ファン（９６）が設置されている。また、上側空間（４１）には、第２熱交換器（１０４）が設置されている。第２熱交換器（１０４）は、いわゆるクロスフィン型のフィン・アンド・チューブ熱交換器であって、排気ファン（９６）へ向けて上側空間（４１）を流れる空気を加熱又は冷却させるように構成されている。つまり、第２熱交換器（１０４）は、室外へ排出される空気を加熱又は冷却するためのものである。
第１仕切板（２０）と第２仕切板（２０１）との間の空間は、左側から右側に向かって順に、左端空間（２０２）と、左側中央空間（２０３）と、右側中央空間（２０４）と、右端空間（２０５）とに区画されている。
第１仕切板（２０）には、右側開口（２１）、左側開口（２２）、右上開口（２３）、右下開口（２４）、左上開口（２５）、及び左下開口（２６）が形成されている。これらの開口（２１〜２６）は、それぞれが開閉シャッタを備えて開閉自在に構成されている。
左上開口（２５）は、上側空間（４１）と左側中央空間（２０３）とを連通させている。右上開口（２３）は、上側空間（４１）と右側中央空間（２０４）とを連通させている。左側開口（２２）は、下側空間（４２）と左端空間（２０２）とを連通させている。左下開口（２６）は、下側空間（４２）と左側中央空間（２０３）とを連通させている。右下開口（２４）は、下側空間（４２）と右側中央空間（２０４）とを連通させている。右側開口（２１）は、下側空間（４２）と右端空間（２０５）とを連通させている。
第２仕切板（２０１）にも、右側開口（２０７）、左側開口（２０６）、右上開口（２１０）、右下開口（２１１）、左上開口（２０８）、及び左下開口（２０９）が形成されている。左上開口（２０８）、左下開口（２０９）、右上開口（２１０）及び右下開口（２１１）は、それぞれが開閉シャッタを備えて開閉自在に構成されている。
第２仕切板（２０１）と第３仕切板（２２１）との間には、第１吸着素子（８１）及び第２吸着素子（８２）が設置されている。これら吸着素子（８１，８２）は、所定の間隔をおいて左右に並んだ状態に配置されている。具体的には、右寄りに第１吸着素子（８１）が設けられ、左寄りに第２吸着素子（８２）が設けられている。
第１吸着素子（８１）及び第２吸着素子（８２）は、それぞれにおける平板部材（８３）及び波板部材（８４）の積層方向がケーシング（１０）の長手方向（図２における手前から奥に向かう方向）と一致すると共に、それぞれにおける平板部材（８３）等の積層方向が互いに平行となる姿勢で設置されている。さらに、各吸着素子（８１，８２）は、左右の側面がケーシング（１０）の側板と、上下面がケーシング（１０）の天板や底板と、前後の端面が室外側パネル（１１）や室内側パネル（１２）とそれぞれ略平行になる姿勢で配置されている。
第１吸着素子（８１）の下面には、第１フィルタ（３０１）が設けられている。第２吸着素子（８２）の下面には、第２フィルタ（３０２）が設けられている。
また、ケーシング（１０）内に設置された各吸着素子（８１，８２）では、その左右の側面に冷却側通路（８６）が開口している。つまり、第１吸着素子（８１）において冷却側通路（８６）に開口する１つの側面と、第２吸着素子（８２）において冷却側通路（８６）に開口する１つの側面とは、互いに向かい合っている。
第２仕切板（２０１）と第３仕切板（２２１）との間の空間は、右側流路（５１）、左側流路（５２）、右上流路（５３）、右下流路（５４）、左上流路（５５）、左下流路（５６）、及び中央流路（５７）に区画されている。
右側流路（５１）は、第１吸着素子（８１）の右側に形成され、第１吸着素子（８１）の冷却側通路（８６）に連通している。左側流路（５２）は、第２吸着素子（８２）の左側に形成され、第２吸着素子（８２）の冷却側通路（８６）に連通している。
右上流路（５３）は、第１吸着素子（８１）の上側に形成され、第１吸着素子（８１）の調湿側通路（８５）に連通している。右下流路（５４）は、第１吸着素子（８１）の下側（厳密には、第１フィルタ（３０１）の下側）に形成され、第１吸着素子（８１）の調湿側通路（８５）に連通している。左上流路（５５）は、第２吸着素子（８２）の上側に形成され、第２吸着素子（８２）の調湿側通路（８５）に連通している。左下流路（５６）は、第２吸着素子（８２）の下側（厳密には、第２フィルタ（３０２）の下側）に形成され、第２吸着素子（８２）の調湿側通路（８５）と連通している。
中央流路（５７）は、第１吸着素子（８１）と第２吸着素子（８２）との間に形成され、両吸着素子（８１，８２）の冷却側通路（８６）に連通している。この中央流路（５７）は、図２に現れる流路断面の形状が八角形状となっている。
第２仕切板（２０１）の左側開口（２０６）は、左端空間（２０２）と左側流路（５２）とを連通させている。右側開口（２０７）は、右端空間（２０５）と右側流路（５１）とを連通させている。左上開口（２０８）は、左側中央空間（２０３）と左上流路（５５）とを連通させている。左下開口（２０９）は、左側中央空間（２０３）と左下流路（５６）とを連通させている。右上開口（２１０）は、右側中央空間（２０４）と右上流路（５３）とを連通させている。右下開口（２１１）は、右側中央空間（２０４）と右下流路（５４）とを連通させている。
再生熱交換器（１０２）は、いわゆるクロスフィン型のフィン・アンド・チューブ熱交換器であって、中央流路（５７）を流れる空気を加熱するように構成されている。この再生熱交換器（１０２）は、中央流路（５７）に配置されている。つまり、再生熱交換器（１０２）は、左右に並んだ第１吸着素子（８１）と第２吸着素子（８２）との間に設置されている。さらに、再生熱交換器（１０２）は、ほぼ垂直に立てられた状態で、中央流路（５７）を左右に仕切るように設けられている。
第１吸着素子（８１）と再生熱交換器（１０２）との間には、中央流路（５７）における再生熱交換器（１０２）の右側部分と右上流路（５３）とを仕切る開閉自在なシャッタが設けられている。一方、第２吸着素子（８２）と再生熱交換器（１０２）との間には、中央流路（５７）における再生熱交換器（１０２）の左側部分と左上流路（５５）とを仕切る開閉自在なシャッタが設けられている。
第３仕切板（２２１）は、第２仕切板（２０１）と同様の構成を有している。第３仕切板（２２１）にも、右側開口（２２２）、左側開口（２２３）、右上開口（２２４）、右下開口（２２５）、左上開口（２２６）、及び左下開口（２２７）が形成されている。左上開口（２２６）、左下開口（２２７）、右上開口（２２４）及び右下開口（２２５）は、それぞれが開閉シャッタを備えて開閉自在に構成されている。
第３仕切板（２２１）と第４仕切板（３０）との間の空間は、左側から右側に向かって順に、左端空間（２２８）と、左側中央空間（２２９）と、右側中央空間（２３０）と、右端空間（２３１）とに区画されている。
左側開口（２２３）は、左側流路（５２）と左端空間（２２８）とを連通させている。右側開口（２２２）は、右側流路（５１）と右端空間（２３１）とを連通させている。左上開口（２２６）は、左上流路（５５）と左側中央空間（２２９）とを連通させている。左下開口（２２７）は、左下流路（５６）と左側中央空間（２２９）とを連通させている。右上開口（２２４）は、右上流路（５３）と右側中央空間（２３０）とを連通させている。右下開口（２２５）は、右下流路（５４）と右側中央空間（２３０）とを連通させている。
第４仕切板（３０）と室内側パネル（１２）との間の空間は、上側空間（４６）と下側空間（４７）とに区画されている。上側空間（４６）は、吹出口（１４）を通じて室内空間（３１２）と連通されている。下側空間（４７）は、吸込口（１５）を通じて室内空間（３１２）と連通されている。
第４仕切板（３０）は、第１仕切板（２０）と同様の構成を有している。第４仕切板（３０）にも、右側開口（３１）、左側開口（３２）、右上開口（３３）、右下開口（３４）、左上開口（３５）、及び左下開口（３６）が形成されている。これらの開口（３１〜３６）は、それぞれが開閉シャッタを備えて開閉自在に構成されている。
左側開口（３２）は、左端空間（２２８）と下側空間（４７）とを連通させている。左下開口（３６）は、左側中央空間（２２９）と下側空間（４７）とを連通させている。右下開口（３４）は、右側中央空間（２３０）と下側空間（４７）とを連通させている。右側開口（３１）は、右端空間（２３１）と下側空間（４７）とを連通させている。左上開口（３５）は、左側中央空間（２２９）と上側空間（４６）とを連通させている。右上開口（３３）は、右側中央空間（２３０）と上側空間（４６）とを連通させている。
上側空間（４６）の左端寄りには、給気ファン（９５）が設置されている。また、上側空間（４６）には、第１熱交換器（１０３）が設置されている。第１熱交換器（１０３）は、いわゆるクロスフィン型のフィン・アンド・チューブ熱交換器であって、給気ファン（９５）へ向けて上側空間（４６）を流れる空気を加熱又は冷却するように構成されている。つまり、第１熱交換器（１０３）は、室内へ供給される空気を加熱又は冷却するためのものである。
−調湿装置の運転動作−
次に、調湿装置（１）の運転動作を説明する。この調湿装置（１）は、第１吸着素子（８１）の吸着と第２吸着素子（８２）の再生とを行う第１動作（図２参照）と、第２吸着素子（８２）の吸着と第１吸着素子（８１）の再生とを行う第２動作（図４参照）とを交互に繰り返す。すなわち、調湿装置（１）は、いわゆるバッチ運転を行う。このように、調湿装置（１）は第１動作と第２動作とを交互に繰り返すことにより、室内の除湿を継続的に実行する。
まず、図２を参照しながら、第１動作について説明する。以下に説明するように、第１動作では、第１吸着素子（８１）についての吸着運転と第２吸着素子（８２）についての再生運転とが同時に行われる。この第１吸着素子（８１）についての吸着運転は通常運転であり、この吸着運転中には第１フィルタ（３０１）による空気の浄化が行われる。一方、第２吸着素子（８２）についての再生運転は浄化運転であり、この再生運転中には第２フィルタ（３０２）からの塵埃の除去が行われる。
第１仕切板（２０）では、右下開口（２４）と左上開口（２５）とが開放され、右側開口（２１）と右上開口（２３）と左下開口（２６）と左側開口（２２）とが閉鎖される。第２仕切板（２０１）においては、右下開口（２１１）と左下開口（２０９）とが開放され、右上開口（２１０）と左上開口（２０８）とが閉鎖される。なお、右側開口（２０７）及び左側開口（２０６）は開放されている。第３仕切板（２２１）においては、右上開口（２２４）が開放され、右下開口（２２５）と左上開口（２２６）と左下開口（２２７）とが閉鎖される。なお、右側開口（２２２）及び左側開口（２２３）は開放されている。第４仕切板（３０）においては、右上開口（３３）と右側開口（３１）とが開放され、右下開口（３４）と左上開口（３５）と左下開口（３６）と左側開口（３２）とが閉鎖される。
吸込口（１３）から吸い込まれた室外空気（以下、第１空気という）は、下側空間（４２）、第１仕切板（２０）の右下開口（２４）、右側中央空間（２０４）、第２仕切板（２０１）の右下開口（２１１）を順に通過し、右下流路（５４）に導入される。
右下流路（５４）に導入された第１空気は、第１フィルタ（３０１）及び第１吸着素子（８１）の調湿側通路（８５）を上向きに通過し、右上流路（５３）に流れ込む。この際、第１空気に含まれている塵埃等は、第１フィルタ（３０１）に捕集されて第１空気から除去される。また、第１空気に含まれる水分が第１吸着素子（８１）によって吸着され、第１空気の除湿が行われる。
右上流路（５３）に流入した第１空気は、第３仕切板（２２１）の右上開口（２２４）、右側中央空間（２３０）、第４仕切板（３０）の右上開口（３３）、上側空間（４６）を順に通過し、上側空間（４６）を通過する際に第１熱交換器（１０３）によって冷却される。そして、この第１空気は、吹出口（１４）から室内に供給される。
一方、吸込口（１５）から吸い込まれた室内空気（以下、第２空気という）は、下側空間（４７）、第４仕切板（３０）の右側開口（３１）、右端空間（２３１）、第３仕切板（２２１）の右側開口（２２２）を順に通過し、右側流路（５１）に導入される。
右側流路（５１）に導入された第２空気は、第１吸着素子（８１）の冷却側通路（８６）へ流入する。この第２空気は、冷却側通路（８６）を流れる際に、調湿側通路（８５）において水蒸気が吸着剤に吸着される際に生じた吸着熱を吸熱する。つまり、第２空気は、冷却用流体として冷却側通路（８６）を流れ、第１吸着素子（８１）を冷却する。冷却側通路（８６）を通過した第２空気は、次に、再生熱交換器（１０２）を通過する。その際、再生熱交換器（１０２）では、第２空気が冷媒との熱交換によって加熱される。その後、第２空気は、中央流路（５７）から左上流路（５５）へ流入する。
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。
次に、上記水蒸気を含んだ第２空気は、第２フィルタ（３０２）を通過する。この際、第２フィルタ（３０２）に付着している塵埃等は、第２空気の流れに乗って第２フィルタ（３０２）から脱離する。言い換えると、第２空気は第２フィルタ（３０２）に付着している塵埃等を取り除き、第２フィルタ（３０２）の清掃を行う。そして、塵埃等を含んだ第２空気は、左下流路（５６）に流入する。
左下流路（５６）に流入した第２空気は、第２仕切板（２０１）の左下開口（２０９）、左側中央空間（２０３）、第１仕切板（２０）の左上開口（２５）、上側空間（４１）を順に流れ、吹出口（１６）から室外に排出される。この際、第２フィルタ（３０２）から取り除かれた塵埃等も第２空気と共に室外に排出される。なお、第２熱交換器（１０４）は休止しており、上側空間（４１）を流れる際に第２空気は加熱も冷却もされない。
上述の第１動作を所定時間継続した後、以下の第２動作が行われる。次に、図４を参照しながら、第２動作について説明する。
第２動作では、第１動作とは逆に、第２吸着素子（８２）についての吸着運転と、第１吸着素子（８１）についての再生運転とが同時に行われる。この第１吸着素子（８１）についての吸着運転は浄化運転であり、この吸着運転中には第１フィルタ（３０１）からの塵埃の除去が行われる。第２吸着素子（８２）についての再生運転は通常運転であり、この再生運転中には第２フィルタ（３０２）による空気の浄化が行われる。
図４に示すように、第１仕切板（２０）においては、右上開口（２３）と左下開口（２６）とが開放され、右側開口（２１）と右下開口（２４）と左上開口（２５）と左側開口（２２）とが閉鎖される。第２仕切板（２０１）においては、右下開口（２１１）と左下開口（２０９）とが開放され、右上開口（２１０）と左上開口（２０８）とが閉鎖される。なお、右側開口（２０７）及び左側開口（２０６）は開放されている。第３仕切板（２２１）においては、左上開口（２２６）が開放され、左下開口（２２７）と右上開口（２２４）と右下開口（２２５）とが閉鎖される。なお、右側開口（２２２）及び左側開口（２２３）は開放されている。第４仕切板（３０）においては、左上開口（３５）と左側開口（３２）とが開放され、左下開口（３６）と右上開口（３３）と右下開口（３４）と右側開口（３１）とが閉鎖される。
吸込口（１３）から吸い込まれた室外空気（以下、第１空気という）は、下側空間（４２）、第１仕切板（２０）の左下開口（２６）、左側中央空間（２０３）、第２仕切板（２０１）の左下開口（２０９）を順に通過し、左下流路（５６）に導入される。
左下流路（５６）に導入された第１空気は、第２フィルタ（３０２）及び第２吸着素子（８２）の調湿側通路（８５）を上向きに通過し、左上流路（５５）に流れ込む。この際、第１空気に含まれている塵埃等は、第２フィルタ（３０２）に捕集されて第１空気から除去される。また、第１空気に含まれる水分が第２吸着素子（８２）によって吸着され、第１空気の除湿が行われる。
左上流路（５５）に流入した第１空気は、第３仕切板（２２１）の左上開口（２２６）、左側中央空間（２２９）、第４仕切板（３０）の左上開口（３５）、上側空間（４６）を順に通過し、上側空間（４６）を通過する際に第１熱交換器（１０３）によって冷却される。そして、この第１空気は、吹出口（１４）から室内に供給される。
一方、吸込口（１５）から吸い込まれた室内空気（以下、第２空気という）は、下側空間（４７）、第４仕切板（３０）の左側開口（３２）、左端空間（２２８）、第３仕切板（２２１）の左側開口（２２３）を順に通過し、左側流路（５２）に導入される。
左側流路（５２）に導入された第２空気は、第２吸着素子（８２）の冷却側通路（８６）へ流入する。この第２空気は、冷却側通路（８６）を流れる際に、調湿側通路（８５）において生じた吸着熱を吸熱する。つまり、第２空気は、冷却用流体として冷却側通路（８６）を流れ、第２吸着素子（８２）を冷却する。冷却側通路（８６）を通過した第２空気は、次に、再生熱交換器（１０２）を通過する。その際、再生熱交換器（１０２）では、第２空気が冷媒との熱交換によって加熱される。その後、第２空気は、中央流路（５７）から右上流路（５３）へ流入する。
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。
次に、上記水蒸気を含んだ第２空気は、第１フィルタ（３０１）を通過する。この際、第１フィルタ（３０１）に付着している塵埃等は第１フィルタ（３０１）から脱離し、第２空気の流れに乗って排出される。言い換えると、第２空気は第１フィルタ（３０１）に付着している塵埃等を取り除き、第１フィルタ（３０１）の清掃を行う。そして、上記第２空気は、塵埃等を含んだ空気となって左側流路（５２）に流入する。
左側流路（５２）に流入した第２空気は、第２仕切板（２０１）の右下開口（２１１）、右側中央空間（２０４）、第１仕切板（２０）の右上開口（２３）、上側空間（４１）を順に流れ、吹出口（１６）から室外に排出される。この際、第１フィルタ（３０１）から取り除かれた塵埃等も、第２空気と共に室外に排出される。なお、第２熱交換器（１０４）は休止しており、上側空間（４１）を流れる際に第２空気は加熱も冷却もされない。
−実施形態１の効果−
以上のように、調湿装置（１）によれば、吸着素子（８１，８２）に対する空気の流通方向は、吸着運転時と再生運転時とで逆方向となる。言い換えると、吸着運転時と再生運転時とでは、空気流通方向は対向方向となる。
具体的には、吸着素子（８１，８２）の調湿側通路（８５）を通過する空気は、吸着運転時には上向きに流れる一方、再生運転時には下向きに流れる。そのため、吸着運転時には、第１空気に含まれる塵埃等をフィルタ（３０１，３０２）によって除去する一方、再生運転時には、フィルタ（３０１．３０２）に付着している塵埃等を第２空気によって除去することができ、それら塵埃等を第２空気と共に室外に排出することができる。ここで、調湿装置（１）はバッチ運転を行うので、各吸着素子（８１，８２）において吸着運転と再生運転とは交互に行われる。そのため、各フィルタ（３０１，３０２）において、塵埃等の捕捉及び脱離が交互に行われることになり、各フィルタ（３０１，３０２）の清掃が自動的に行われることになる。したがって、各フィルタ（３０１，３０２）に長期間にわたって多くの塵埃等が堆積することはない。
そのため、調湿装置（１）によれば、フィルタ（３０１，３０２）の目詰まりに起因する換気量の低下を防止することができる。また、吸着素子（８１，８２）の性能劣化を効果的に防止することができ、吸着素子（８１，８２）の長寿命化を図ることができる。
また、フィルタ（３０１，３０２）の定期的な清掃作業を不要又は削減することができ、メンテナンスの負担を軽減することができる。メンテナンスコストを削減することが可能となる。
−変形例１−
上記実施形態では、再生熱交換器（１０２）が第１吸着素子（８１）と第２吸着素子（８２）との間に直立状態で設置されていたが、再生熱交換器（１０２）の設置態様は特に限定されるものではない。例えば、図５Ａ及び図５Ｂに示すように、熱交換に際しての空気流通方向が上下方向となるように、再生熱交換器（１０２）を横向きに設置してもよい。
−変形例２−
前記実施形態では、再生熱交換器（１０２）によって加熱された空気を直ちに吸着素子（８１，８２）の調湿側通路（８５）に導入していたが、図６Ａ及び図６Ｂに示すように、再生熱交換器（１０２）によって加熱された空気を、いったん吸着素子（８１，８２）の冷却側通路（８６）に導入し、その後に調湿側通路（８５）に導入するようにしてもよい。このことにより、再生対象の吸着素子（８１，８２）をより効率的に加熱することができ、再生効率の向上を図ることができる。
−変形例３−
前記実施形態は、各吸着素子（８１，８２）が調湿側通路（８５）及び冷却側通路（８６）の２つの通路を有していたが、図７Ａ及び図７Ｂに示すように、調湿側通路（８５）のみを有する吸着素子（８１，８２）を用いることも可能である。
−変形例４−
前記実施形態は、独立した２つの吸着素子、すなわち第１吸着素子（８１）及び第２吸着素子（８２）を備えていた。しかし、本発明に係る吸着素子は、１つの吸着素子からなっていてもよい。
例えば、図８に示すように、空気調和用素子を構成する１つのロータ式吸着素子（２５３）が吸着通路（２５１）と再生通路（２５２）とに跨って配置されていてもよい。本変形例では、ロータ式吸着素子（２５３）の室外側に、ロータ式吸着素子（２５３）と一体的に回転するフィルタ（２５４）が設けられている。再生熱交換器（１０２）は、再生通路（２５２）におけるロータ式吸着素子（２５３）よりも室内側に設けられている。
本変形例では、吸着通路（２５１）に吸い込まれた室外空気は、フィルタ（２５４）によって浄化された後、ロータ式吸着素子（２５３）によって除湿される。そして、浄化及び除湿された空気は、室内に供給される。一方、再生通路（２５２）に吸い込まれた室内空気は、再生熱交換器（１０２）によって加熱された後、ロータ式吸着素子（２５３）を通過する。この際、室内空気はロータ式吸着素子（２５３）を加熱し、ロータ式吸着素子（２５３）に含まれる水分を吸収する。これにより、ロータ式吸着素子（２５３）の再生が行われる。次に、ロータ式吸着素子（２５３）を再生した空気は、フィルタ（２５４）を通過する。この際、フィルタ（２５４）に付着した塵埃等が上記空気によってフィルタ（２５４）から除去される。
したがって、本変形例によれば、バッチ運転を伴わずに、吸着素子の吸着と再生とを連続的に行うことができる。また、バッチ運転を伴わずに、フィルタ（２５４）の集塵と清掃とを連続的に行うことができる。
《発明の実施形態２》
実施形態２の調湿装置は、本発明に係る空気調和装置により構成されており、室内の加湿と換気とを実行する。図９に示すように、実施形態２に係る調湿装置（２）は、第１フィルタ（３０１）及び第２フィルタ（３０２）がそれぞれ第１吸着素子（８１）及び第２吸着素子（８２）の上面側に設けられているものである。調湿装置（２）の構成は、フィルタ（３０１，３０２）の設置位置以外は実施形態１の調湿装置（１）と同様である。したがって、調湿装置（２）の構成の説明は省略する。
調湿装置（２）は、第１吸着素子（８１）の再生と第２吸着素子（８２）の吸着とを行う第１動作（図９参照）と、第１吸着素子（８１）の吸着と第２吸着素子（８２）の再生とを行う第２動作（図１０参照）とを交互に繰り返す。すなわち、本調湿装置（２）もバッチ運転を行い、第１動作と第２動作とを交互に繰り返すことによって室内の加湿を継続的に実行する。
図９を参照しながら、第１動作について説明する。第１動作では、第１吸着素子（８１）についての再生運転と第２吸着素子（８２）についての吸着運転とが同時に行われる。この第１吸着素子（８１）についての再生運転は通常運転であり、この再生運転中には第１フィルタ（３０１）による空気の浄化が行われる。一方、第２吸着素子（８２）についての吸着運転は浄化運転であり、この吸着運転中には第２フィルタ（３０２）からの塵埃の除去が行われる。
第１仕切板（２０）においては、左上開口（２５）と左側開口（２２）とが開放され、右側開口（２１）と右上開口（２３）と右下開口（２４）と左下開口（２６）とが閉鎖される。第２仕切板（２０１）においては、左上開口（２０８）が開放され、左下開口（２０９）と右上開口（２１０）と右下開口（２１１）とが閉鎖される。なお、左側開口（２０６）及び右側開口（２０７）は開放されている。第３仕切板（２２１）においては、右下開口（２２５）と左下開口（２２７）とが開放され、右上開口（２２４）と左上開口（２２６）とが閉鎖される。なお、右側開口（２２２）及び左側開口（２２３）は開放されている。第４仕切板（３０）においては、右上開口（３３）と左下開口（３６）とが開放され、右側開口（３１）と左側開口（３２）と右下開口（３４）と左上開口（３５）とが閉鎖される。
吸込口（１３）から吸い込まれた室外空気（以下、第２空気という）は、下側空間（４２）、第１仕切板（２０）の左側開口（２２）、左端空間（２０２）、第２仕切板（２０１）の左側開口（２０６）を順に通過し、左側流路（５２）に導入される。左側流路（５２）に導入された第２空気は、第２吸着素子（８２）の冷却側通路（８６）及び中央流路（５７）の再生熱交換器（１０２）を通過し、第２吸着素子（８２）及び再生熱交換器（１０２）によって加熱される。
加熱された第２空気は、右上流路（５３）に流入し、第１フィルタ（３０１）と第１吸着素子（８１）の調湿側通路（８５）を順に通過する。この際、第２空気は第１フィルタ（３０１）によって浄化され、第１吸着素子（８１）によって加湿される。
加湿された第２空気は、右下流路（５４）に流入し、第３仕切板（２２１）の右下開口（２２５）、右側中央空間（２３０）、第４仕切板（３０）の右上開口（３３）を順に通過し、上側空間（４６）に流れ込む。上側空間（４６）に流れ込んだ第２空気は、第１熱交換器（１０３）を通過し、吹出口（１４）から室内に供給される。なお、第１熱交換器（１０３）は休止しており、第２空気は第１熱交換器（１０３）を通過する際に加熱も冷却もされない。
一方、吸込口（１５）から吸い込まれた室内空気（以下、第１空気という）は、下側空間（４７）、第４仕切板（３０）の左下開口（３６）、左側中央空間（２２９）、第３仕切板（２２１）の左下開口（２２７）を順に通過し、左下流路（５６）に流入する。
左下流路（５６）に流入した第１空気は、第２吸着素子（８２）の調湿側通路（８５）を通過し、第２吸着素子（８２）によって除湿される。第２吸着素子（８２）の調湿側通路（８５）を通過した第１空気は、第２フィルタ（３０２）を通過する。この際、第２フィルタ（３０２）に付着している塵埃等は、第１空気によって除去される。塵埃等を含んだ第１空気は、左上流路（５５）、第２仕切板（２０１）の左上開口（２０８）、左側中央空間（２０３）、第１仕切板（２０）の左上開口（２５）、上側空間（４１）を順に流れ、吹出口（１６）から室外に排出される。なお、第１空気は上側空間（４１）内の第２熱交換器（１０４）を通過する際に冷却される。
上述の第１動作を所定時間継続した後、以下の第２動作が行われる。次に、図１０を参照しながら、第２動作について説明する。
第２動作では、第１動作とは逆に、第１吸着素子（８１）についての吸着運転と第２吸着素子（８２）についての再生運転とが行われる。この第１吸着素子（８１）についての吸着運転は浄化運転であり、この吸着運転中には第１フィルタ（３０１）からの塵埃の除去が行われる。第２吸着素子（８２）についての再生運転は通常運転であり、この再生運転中には第２フィルタ（３０２）による空気の浄化が行われる。
図１０に示すように、第１仕切板（２０）においては、右上開口（２３）と右側開口（２１）とが開放され、左側開口（２２）と右下開口（２４）と左上開口（２５）と左下開口（２６）とが閉鎖される。第２仕切板（２０１）においては、右上開口（２１０）が開放され、左上開口（２０８）と左下開口（２０９）と右下開口（２１１）とが閉鎖される。なお、左側開口（２０６）及び右側開口（２０７）は開放されている。第３仕切板（２２１）においては、右下開口（２２５）と左下開口（２２７）とが開放され、右上開口（２２４）と左上開口（２２６）とが閉鎖されている。なお、右側開口（２２２）及び左側開口（２２３）は開放されている。第４仕切板（３０）においては、右下開口（３４）と左上開口（３５）とが開放され、右側開口（３１）と左側開口（３２）と右上開口（３３）と左下開口（３６）とが閉鎖される。
吸込口（１３）から吸い込まれた室外空気（以下、第２空気という）は、下側空間（４２）、第１仕切板（２０）の右側開口（２１）、右端空間（２０５）、第２仕切板（２０１）の右側開口（２０７）を順に通過し、右側流路（５１）に導入される。
右側流路（５１）に導入された第２空気は、第１吸着素子（８１）の冷却側通路（８６）と中央流路（５７）の再生熱交換器（１０２）を順に通過し、第１吸着素子（８１）及び再生熱交換器（１０２）によって加熱される。
加熱された第２空気は、左上流路（５５）に流入し、第２フィルタ（３０２）と第２吸着素子（８２）の調湿側通路（８５）とを順に通過する。この際、第２空気は第２フィルタ（３０２）によって浄化され、第２吸着素子（８２）によって加湿される。
加湿された第２空気は、左下流路（５６）に流入し、第３仕切板（２２１）の左下開口（２２７）、左側中央空間（２２９）、第４仕切板（３０）の左上開口（３５）を順に通過し、上側空間（４６）に流れ込む。上側空間（４６）に流れ込んだ第１空気は、第１熱交換器（１０３）を通過し、吹出口（１４）から室内に供給される。なお、第１動作時と同様、第１熱交換器（１０３）は休止しており、第２空気は第１熱交換器（１０３）によって加熱も冷却もされない。
一方、吸込口（１５）から吸い込まれた室内空気（以下、第１空気という）は、下側空間（４７）、第４仕切板（３０）の右下開口（３４）、右側中央空間（２３０）、第３仕切板（２２１）の右下開口（２２５）を順に通過し、右下流路（５４）に流入する。
右下流路（５４）に流入した第１空気は、第１吸着素子（８１）の調湿側通路（８５）を通過し、第１吸着素子（８１）によって除湿される。第１吸着素子（８１）の調湿側通路（８５）を通過した第１空気は、第１フィルタ（３０１）を通過する。この際、第１フィルタ（３０１）に付着している塵埃等は、第１空気によって除去される。そして、塵埃等を含んだ第１空気は、右上流路（５３）、第２仕切板（２０１）の右上開口（２１０）、右側中央空間（２０４）、第１仕切板（２０）の右上開口（２３）、上側空間（４１）を順に流れ、吹出口（１６）から室外に排出される。なお、第２空気は上側空間（４１）内の第２熱交換器（１０４）を通過する際に冷却される。
−実施形態２の効果−
以上のように、調湿装置（２）においても、第１動作と第２動作とを交互に行うことにより、各フィルタ（３０１，３０２）において塵埃等の捕集と脱離とを交互に行うことができる。したがって、各フィルタ（３０１，３０２）に長時間にわたって多くの塵埃等が堆積することを防止でき、目詰まりに起因する装置の能力低下を防止することができる。また、吸着素子（８１，８２）の品質劣化を防止することができ、吸着素子（８１，８２）の長寿命化を図ることができる。また、メンテナンスの負担軽減やメンテナンスコストの削減を図ることができる。
−変形例１−
上記実施形態では、再生熱交換器（１０２）が第１吸着素子（８１）と第２吸着素子（８２）との間に直立状態で設置されていたが、再生熱交換器（１０２）の設置態様は特に限定されるものではない。例えば、図１１Ａ及び図１１Ｂに示すように、熱交換に際しての空気の流通方向が上下方向となるように、再生熱交換器（１０２）を横向きに設置してもよい。
−変形例２−
前記実施形態では、再生熱交換器（１０２）によって加熱された空気を直ちに吸着素子（８１，８２）の調湿側通路（８５）に導入していたが、図１２Ａ及び図１２Ｂに示すように、再生熱交換器（１０２）によって加熱された空気を、いったん吸着素子（８１，８２）の冷却側通路（８６）に導入し、その後に調湿側通路（８５）に導入するようにしてもよい。このことにより、再生対象の吸着素子（８１，８２）をより効率的に加熱することができ、再生効率の向上を図ることができる。
−変形例３−
前記実施形態は、各吸着素子（８１，８２）が調湿側通路（８５）及び冷却側通路（８６）を有していたが、図１３Ａ及び図１３Ｂに示すように、調湿側通路（８５）のみを有する吸着素子（８１，８２）を用いることも可能である。
−変形例４−
前記実施形態は、独立した２つの吸着素子、すなわち第１吸着素子（８１）及び第２吸着素子（８２）を備えていた。しかし、本発明に係る吸着素子は、１つの吸着素子からなっていてもよい。
図１４に示すように、空気調和用素子を構成する１つのロータ式吸着素子（２５３）が吸着通路（２５１）と再生通路（２５２）とに跨って配置されていてもよい。本変形例では、ロータ式吸着素子（２５３）の室外側に、ロータ式吸着素子（２５３）と一体的に回転するフィルタ（２５４）が設けられている。再生熱交換器（１０２）は、再生通路（２５２）におけるロータ式吸着素子（２５３）よりも室外側に設けられている。
本変形例では、再生通路（２５２）に吸い込まれた室外空気は、再生熱交換器（１０２）によって加熱され、フィルタ（２５４）によって浄化された後、ロータ式吸着素子（２５３）によって加湿される。そして、浄化及び加湿された空気は、室内に供給される。一方、吸着通路（２５１）に吸い込まれた室内空気は、ロータ式吸着素子（２５３）を通過し、当該ロータ式吸着素子（２５３）によって除湿される。次に、ロータ式吸着素子（２５３）によって除湿された空気は、フィルタ（２５４）を通過する。この際、フィルタ（２５４）に付着している塵埃等が、上記空気によってフィルタ（２５４）から除去される。
したがって、本変形例によれば、バッチ運転を伴わずに、吸着素子の吸着と再生とを連続的に行うことができ、さらに、フィルタ（２５４）の集塵と清掃とを連続的に行うことができる。
《発明の実施形態３》
実施形態３に係る調湿装置は、室内の換気を行うと共に、室内の除湿及び加湿を選択的に実行するものである。図１５Ａ〜図１５Ｄに示すように、実施形態３に係る調湿装置では、第１吸着素子（８１）の下面側及び上面側に第１フィルタ（３０１ａ，３０１ｂ）が設けられ、第２吸着素子（８２）の下面側及び上面側に第２フィルタ（３０２ａ，３０２ｂ）が設けられている。なお、フィルタ（３０１ａ，３０１ｂ，３０２ａ，３０２ｂ）の設置箇所以外については実施形態１の調湿装置（１）と同様であるので、その他の構成の説明は省略する。
本調湿装置は、除湿運転時には実施形態１の調湿装置（１）と同様の運転を行う。すなわち、除湿運転の際には、図１５Ａに示す第１動作と、図１５Ｂに示す第２動作とを交互に行う。
一方、本調湿装置は、加湿運転時には実施形態２の調湿装置（２）と同様の運転を行う。すなわち、加湿運転の際には、図１５Ｃに示す第１動作と、図１５Ｄに示す第２動作とを交互に行う。
したがって、本実施形態によれば、実施形態１及び２の両方の効果を得ることができる。加えて、本実施形態によれば、吸着素子（８１，８２）の上面側及び下面側の双方にフィルタ（３０１ａ，３０１ｂ，３０２ａ，３０２ｂ）が設けられているため、室外からの塵埃等はもちろん、室内からの塵埃等も除去することができる。したがって、吸着素子（８１，８２）の性能劣化をより一層防止することができ、吸着素子（８１，８２）の更なる長寿命化を図ることができる。
−変形例１−
前記実施形態は、各吸着素子（８１，８２）が調湿側通路（８５）及び冷却側通路（８６）を有していたが、図１６Ａ及び図１６Ｂに示すように、調湿側通路（８５）のみを有する吸着素子（８１，８２）を用いることも可能である。
−変形例２−
図１７Ａ及び図１７Ｂに示すように、一方の吸着素子（８１）の下面側に第１フィルタ（３０１）を設け、他方の吸着素子（８２）の上面側に第２フィルタ（３０２）を設けることも可能である。
《その他の発明の実施形態》
本発明の実施の形態は前述の実施形態に限定されるものではなく、他の実施形態も勿論可能である。
−第１変形例−
前記実施形態の空気の流通態様は図１８Ａ及び図１８Ｂに示すような態様であったが、本発明に係る調湿装置における空気の流通態様は、上記態様に限定されるものではない。以下、その他の流通態様について、いくつかの例を挙げて説明する。なお、図１８〜図２８ではフィルタの図示は省略しているが、前述の実施形態のように、フィルタの設置箇所は吸着素子の上面側であってもよく、下面側であってもよい。また、吸着素子の上面側及び下面側の両方にフィルタを設けることも可能である。
図１９Ａ及び図１９Ｂに示す例は、第１吸着素子（８１）と第２吸着素子（８２）とが横向きに設置され、これら第１吸着素子（８１）と第２吸着素子（８２）との間に、再生熱交換器（１０２）が横向きに設置されている例である。
本例においても、第１動作と第２動作とが交互に実行される。本例の第１動作では、一方の空気が第１吸着素子（８１）の調湿側通路（８５）を上向きに流れて吸着が行われると共に、他方の空気が第２吸着素子（８２）の調湿側通路（８５）を下向きに流れて再生が行われる（図１９Ａ参照）。第２動作では、一方の空気が第１吸着素子（８１）を下向きに流れて再生が行われると共に、他方の空気が第２吸着素子（８２）の調湿側通路（８５）を上向きに流れて吸着が行われる（図１９Ｂ参照）。
図２０Ａ及び図２０Ｂに示す例は、第１吸着素子（８１）と第２吸着素子（８２）とが横向きに設置され、これら第１吸着素子（８１）と第２吸着素子（８２）との間に、再生熱交換器（１０２）が縦向きに設置された例である。なお、破線にて示すように、再生熱交換器（１０２）を斜め向きに設置してもよいことは勿論である。
本例においても、第１動作と第２動作とが交互に実行される。本例の第１動作では、一方の空気が第１吸着素子（８１）の調湿側通路（８５）を下向きに流れて吸着が行われると共に、他方の空気が第２吸着素子（８２）の調湿側通路（８５）を下向きに流れて再生が行われる（図２０Ａ参照）。第２動作では、一方の空気が第１吸着素子（８１）の調湿側通路（８５）を上向きに流れて再生が行われると共に、他方の空気が第２吸着素子（８２）の調湿側通路（８５）を上向きに流れて吸着が行われる（図２０Ｂ参照）。
図２１Ａ及び図２１Ｂに示す例は、第１吸着素子（８１）と第２吸着素子（８２）とを互いに逆方向に傾斜させ、ハ字に設置したものである。再生熱交換器（１０２）は、第１吸着素子（８１）と第２吸着素子（８２）との間に横向きに設置されている。
本例においても、第１動作と第２動作とが交互に実行される。本例の第１動作では、一方の空気が第１吸着素子（８１）の調湿側通路（８５）を斜め下向きに流れて吸着が行われると共に、他方の空気が第２吸着素子（８２）の調湿側通路（８５）を斜め上向きに流れて再生が行われる（図２１Ａ参照）。第２動作では、一方の空気が第１吸着素子（８１）の調湿側通路（８５）を斜め上向きに流れて再生が行われると共に、他方の空気が第２吸着素子（８２）の調湿側通路（８５）を斜め下向きに流れて吸着が行われる（図２１Ｂ参照）。
図２２Ａ及び図２２Ｂに示す例は、第１吸着素子（８１）と第２吸着素子（８２）とを同方向に傾斜させ、それらの間に再生熱交換器（１０２）を縦向きに設置したものである。なお、破線にて示すように、再生熱交換器（１０２）を斜め向きに設置してもよいことは勿論である。
本例においても、第１動作と第２動作とが交互に実行される。本例の第１動作では、一方の空気が第１吸着素子（８１）の調湿側通路（８５）を斜め上向きに流れて吸着が行われると共に、他方の空気が第２吸着素子（８２）の調湿側通路（８５）を斜め下向きに流れて再生が行われる（図２２Ａ参照）。第２動作では、一方の空気が第１吸着素子（８１）の調湿側通路（８５）を斜め上向きに流れて再生が行われると共に、他方の空気が第２吸着素子（８２）の調湿側通路（８５）を斜め下向きに流れて吸着が行われる（図２２Ｂ参照）。
図２３Ａ及び図２３Ｂに示す例は、第１吸着素子（８１）と第２吸着素子（８２）とが横向きに設置され、これら第１吸着素子（８１）と第２吸着素子（８２）との間に、再生熱交換器（１０２）を縦向きに設置した例である。
本例においても、第１動作と第２動作とが交互に実行される。本例の第１動作では、一方の空気が第１吸着素子（８１）の調湿側通路（８５）を上向きに流れて吸着が行われると共に、他方の空気が第２吸着素子（８２）の調湿側通路（８５）を下向きに流れて再生が行われる（図２３Ａ参照）。第２動作では、一方の空気が第１吸着素子（８１）の調湿側通路（８５）を下向きに流れて再生が行われると共に、他方の空気が第２吸着素子（８２）の調湿側通路（８５）を上向きに流れて吸着が行われる（図２３Ｂ参照）。
図２４Ａ及び図２４Ｂに示す例も、第１吸着素子（８１）と第２吸着素子（８２）とが横向きに設置され、これら第１吸着素子（８１）と第２吸着素子（８２）との間に、再生熱交換器（１０２）を縦向きに設置した例である。なお、破線にて示すように、再生熱交換器（１０２）を斜め向きに設置してもよいことは勿論である。
本例においても、第１動作と第２動作とが交互に実行される。本例の第１動作では、一方の空気が第１吸着素子（８１）の調湿側通路（８５）を下向きに流れて吸着が行われると共に、他方の空気が第２吸着素子（８２）の調湿側通路（８５）を下向きに流れて再生が行われる（図２４Ａ参照）。第２動作では、一方の空気が第１吸着素子（８１）の調湿側通路（８５）を上向きに流れて再生が行われると共に、他方の空気が第２吸着素子（８２）の調湿側通路（８５）を上向きに流れて吸着が行われる（図２４Ｂ参照）。
図２５Ａ及び図２５Ｂに示す例は、第１吸着素子（８１）と第２吸着素子（８２）とを同方向に傾斜させ、それらの間に再生熱交換器（１０２）を横向きに設置したものである。なお、破線にて示すように、再生熱交換器（１０２）を斜め向きに設置してもよいことは勿論である。
本例においても、第１動作と第２動作とが交互に実行される。本例の第１動作では、一方の空気が第１吸着素子（８１）の調湿側通路（８５）を斜め下向きに流れて吸着が行われると共に、他方の空気が第２吸着素子（８２）の調湿側通路（８５）を斜め下向きに流れて再生が行われる（図２５Ａ参照）。第２動作では、一方の空気が第１吸着素子（８１）の調湿側通路（８５）を斜め上向きに流れて再生が行われると共に、他方の空気が第２吸着素子（８２）の調湿側通路（８５）を斜め上向きに流れて吸着が行われる（図２５Ｂ参照）。
図２６Ａ及び図２６Ｂに示す例も、第１吸着素子（８１）と第２吸着素子（８２）とを同方向に傾斜させ、それらの間に再生熱交換器（１０２）を横向きに設置したものである。なお、破線にて示すように、再生熱交換器（１０２）を斜め向きに設置してもよいことは勿論である。
本例においても、第１動作と第２動作とが交互に実行される。本例の第１動作では、一方の空気が第１吸着素子（８１）の調湿側通路（８５）を斜め上向きに流れて吸着が行われると共に、他方の空気が第２吸着素子（８２）の調湿側通路（８５）を斜め上向きに流れて再生が行われる（図２６Ａ参照）。第２動作では、一方の空気が第１吸着素子（８１）の調湿側通路（８５）を斜め下向きに流れて再生が行われると共に、他方の空気が第２吸着素子（８２）の調湿側通路（８５）を斜め下向きに流れて吸着が行われる（図２６Ｂ参照）。
図２７Ａ及び図２７Ｂに示す例も、第１吸着素子（８１）と第２吸着素子（８２）とを同方向に傾斜させ、それらの間に再生熱交換器（１０２）を横向きに設置したものである。なお、破線にて示すように、再生熱交換器（１０２）を斜め向きに設置してもよいことは勿論である。
本例においても、第１動作と第２動作とが交互に実行される。本例の第１動作では、一方の空気が第１吸着素子（８１）の調湿側通路（８５）を斜め上向きに流れて吸着が行われると共に、他方の空気が第２吸着素子（８２）の調湿側通路（８５）を斜め下向きに流れて再生が行われる（図２７Ａ参照）。第２動作では、一方の空気が第１吸着素子（８１）の調湿側通路（８５）を斜め下向きに流れて再生が行われると共に、他方の空気が第２吸着素子（８２）の調湿側通路（８５）を斜め上向きに流れて吸着が行われる（図２７Ｂ参照）。
図２８Ａ及び図２８Ｂに示す例は、第１吸着素子（８１）と第２吸着素子（８２）とを互いに逆方向に傾斜させ、ハ字に設置したものである。再生熱交換器（１０２）は、第１吸着素子（８１）と第２吸着素子（８２）との間に縦向きに設置されている。
本例においても、第１動作と第２動作とが交互に実行される。本例の第１動作では、一方の空気が第１吸着素子（８１）の調湿側通路（８５）を斜め上向きに流れて吸着が行われると共に、他方の空気が第２吸着素子（８２）の調湿側通路（８５）を斜め下向きに流れて再生が行われる（図２８Ａ参照）。第２動作では、一方の空気が第１吸着素子（８１）の調湿側通路（８５）を斜め下向きに流れて再生が行われると共に、他方の空気が第２吸着素子（８２）の調湿側通路（８５）を斜め上向きに流れて吸着が行われる（図２８Ｂ参照）。
なお、前記各実施形態及び各変形例において、再生熱交換器（１０２）は空気を加熱する加熱手段であればよく、冷媒と空気とを熱交換させる熱交換器に限定されるものではない。例えば、上記加熱手段は、温水コイルや電気ヒータ等であってもよい。
−第２変形例−
前記各実施形態は、室内空間の換気と室内への給気の調湿とを行う調湿装置に本発明を適用したものであるが、本発明の適用対象がこの種の調湿装置に限定される訳ではない。
先ず、本発明は、室内空気の調湿だけを行う調湿装置に対しても適用可能である。この調湿装置では、除湿運転と加湿運転のそれぞれにおいて、第１動作と第２動作とが交互に実行される。
図２９Ａに示すように、除湿時の第１動作では、室内空気が第１フィルタ（３０１）で浄化された後に第１吸着素子（８１）へ流入する。この室内空気は、第１吸着素子（８１）で除湿された後に室内へ送り返される。一方、室外空気は、再生熱交換器（１０２）で加熱された後に第２吸着素子（８２）へ流入し、高温の室外空気によって第２吸着素子（８２）が再生される。室外空気は、第２吸着素子（８２）から流出して第２フィルタ（３０２）を通過し、その際に第２フィルタ（３０２）から塵埃などが引き剥がされる。その後、室外空気は、第２フィルタ（３０２）から取り除かれた塵埃などと共に室外へ排出される。
図２９Ｂに示すように、除湿時の第２動作では、室内空気が第２フィルタ（３０２）で浄化された後に第２吸着素子（８２）へ流入する。この室内空気は、第２吸着素子（８２）で除湿された後に室内へ送り返される。一方、室外空気は、再生熱交換器（１０２）で加熱された後に第１吸着素子（８１）へ流入し、高温の室外空気によって第１吸着素子（８１）が再生される。室外空気は、第１吸着素子（８１）から流出して第１フィルタ（３０１）を通過し、その際に第１フィルタ（３０１）から塵埃などが引き剥がされる。その後、室外空気は、第１フィルタ（３０１）から取り除かれた塵埃などと共に室外へ排出される。
図３０Ａに示すように、加湿時の第１動作では、室内空気が再生熱交換器（１０２）で加熱される。加熱された室内空気は、第２フィルタ（３０２）で浄化された後に第２吸着素子（８２）へ流入し、高温の室内空気によって第２吸着素子（８２）が再生される。そして、第２吸着素子（８２）から脱離した水分が室内空気に付与され、加湿された室内空気が室内へ送り返される。一方、室外空気は、第１吸着素子（８１）を通過する間に除湿される。水分を奪われた室外空気は、第１吸着素子（８１）から流出して第１フィルタ（３０１）を通過し、その際に第１フィルタ（３０１）から塵埃などが引き剥がされる。その後、室外空気は、第１フィルタ（３０１）から取り除かれた塵埃などと共に室外へ排出される。
図３０Ｂに示すように、加湿時の第２動作では、室内空気が再生熱交換器（１０２）で加熱される。加熱された室内空気は、第１フィルタ（３０１）で浄化された後に第１吸着素子（８１）へ流入し、高温の室内空気によって第１吸着素子（８１）が再生される。そして、第１吸着素子（８１）から脱離した水分が室内空気に付与され、加湿された室内空気が室内へ送り返される。一方、室外空気は、第２吸着素子（８２）を通過する間に除湿される。水分を奪われた室外空気は、第２吸着素子（８２）から流出して第２フィルタ（３０２）を通過し、その際に第２フィルタ（３０２）から塵埃などが引き剥がされる。その後、室外空気は、第２フィルタ（３０２）から取り除かれた塵埃などと共に室外へ排出される。
次に、本発明は、室内への室外空気の導入と室内へ導入される室外空気の調湿とを行う調湿装置に対しても適用可能である。この調湿装置では、除湿運転と加湿運転のそれぞれにおいて、第１動作と第２動作とが交互に実行される。
図３１Ａに示すように、除湿時の第１動作では、室外空気が第１フィルタ（３０１）で浄化された後に第１吸着素子（８１）へ流入する。この室外空気は、第１吸着素子（８１）で除湿された後に室内へ供給される。これとは別の室外空気は、再生熱交換器（１０２）で加熱された後に第２吸着素子（８２）へ流入し、高温の室外空気によって第２吸着素子（８２）が再生される。この室外空気は、第２吸着素子（８２）ら流出して第２フィルタ（３０２）を通過し、その際に第２フィルタ（３０２）から塵埃などが引き剥がされる。その後、室外空気は、第２フィルタ（３０２）から取り除かれた塵埃などと共に室外へ排出される。
図３１Ｂに示すように、除湿時の第２動作では、室外空気が第２フィルタ（３０２）で浄化された後に第２吸着素子（８２）へ流入する。この室外空気は、第２吸着素子（８２）で除湿された後に室内へ供給される。これとは別の室外空気は、再生熱交換器（１０２）で加熱された後に第１吸着素子（８１）へ流入し、高温の室外空気によって第１吸着素子（８１）が再生される。この室外空気は、第１吸着素子（８１）から流出して第１フィルタ（３０１）を通過し、その際に第１フィルタ（３０１）から塵埃などが引き剥がされる。その後、室外空気は、第１フィルタ（３０１）から取り除かれた塵埃などと共に室外へ排出される。
図３２Ａに示すように、加湿時の第１動作では、室外空気が再生熱交換器（１０２）で加熱される。加熱された室外空気は、第２フィルタ（３０２）で浄化された後に第２吸着素子（８２）へ流入し、高温の室外空気によって第２吸着素子（８２）が再生される。そして、第２吸着素子（８２）から脱離した水分が室外空気に付与され、加湿された室外空気が室内へ供給される。これとは別の室外空気は、第１吸着素子（８１）を通過する間に除湿される。水分を奪われた室外空気は、第１吸着素子（８１）から流出して第１フィルタ（３０１）を通過し、その際に第１フィルタ（３０１）から塵埃などが引き剥がされる。その後、室外空気は、第１フィルタ（３０１）から取り除かれた塵埃などと共に室外へ排出される。
図３２Ｂに示すように、加湿時の第２動作では、室外空気が再生熱交換器（１０２）で加熱される。加熱された室外空気は、第１フィルタ（３０１）で浄化された後に第１吸着素子（８１）へ流入し、高温の室外空気によって第１吸着素子（８１）が再生される。そして、第１吸着素子（８１）から脱離した水分が室外空気に付与され、加湿された室外空気が室内へ供給される。これとは別の室外空気は、第２吸着素子（８２）を通過する間に除湿される。水分を奪われた室外空気は、第２吸着素子（８２）から流出して第２フィルタ（３０２）を通過し、その際に第２フィルタ（３０２）から塵埃などが引き剥がされる。その後、室外空気は、第２フィルタ（３０２）から取り除かれた塵埃などと共に室外へ排出される。
更に、本発明は、室外への室内空気の排出と室内空気の調湿とを行う調湿装置に対しても適用可能である。この調湿装置では、除湿運転と加湿運転のそれぞれにおいて、第１動作と第２動作とが交互に実行される。
図３３Ａに示すように、除湿時の第１動作では、室内空気が第１フィルタ（３０１）で浄化された後に第１吸着素子（８１）へ流入する。この室内空気は、第１吸着素子（８１）で除湿された後に室内へ送り返される。これとは別の室内空気は、再生熱交換器（１０２）で加熱された後に第２吸着素子（８２）へ流入し、高温の室内空気によって第２吸着素子（８２）が再生される。この室内空気は、第２吸着素子（８２）から流出して第２フィルタ（３０２）を通過し、その際に第２フィルタ（３０２）から塵埃などが引き剥がされる。その後、室内空気は、第２フィルタ（３０２）から取り除かれた塵埃などと共に室外へ排出される。
図３３Ｂに示すように、除湿時の第２動作では、室内空気が第２フィルタ（３０２）で浄化された後に第２吸着素子（８２）へ流入する。この室内空気は、第２吸着素子（８２）で除湿された後に室内へ送り返される。これとは別の室内空気は、再生熱交換器（１０２）で加熱された後に第１吸着素子（８１）へ流入し、高温の室内空気によって第１吸着素子（８１）が再生される。この室内空気は、第１吸着素子（８１）から流出して第１フィルタ（３０１）を通過し、その際に第１フィルタ（３０１）から塵埃などが引き剥がされる。その後、室内空気は、第１フィルタ（３０１）から取り除かれた塵埃などと共に室外へ排出される。
図３４Ａに示すように、加湿時の第１動作では、室内空気が再生熱交換器（１０２）で加熱される。加熱された室内空気は、第２フィルタ（３０２）で浄化された後に第２吸着素子（８２）へ流入し、高温の室内空気によって第２吸着素子（８２）が再生される。そして、第２吸着素子（８２）から脱離した水分が室内空気に付与され、加湿された室内空気が室内へ送り返される。これとは別の室内空気は、第１吸着素子（８１）を通過する間に除湿される。水分を奪われた室内空気は、第１吸着素子（８１）から流出して第１フィルタ（３０１）を通過し、その際に第１フィルタ（３０１）から塵埃などが引き剥がされる。その後、室内空気は、第１フィルタ（３０１）から取り除かれた塵埃などと共に室外へ排出される。
図３４Ｂに示すように、加湿時の第２動作では、室内空気が再生熱交換器（１０２）で加熱される。加熱された室内空気は、第１フィルタ（３０１）で浄化された後に第１吸着素子（８１）へ流入し、高温の室内空気によって第１吸着素子（８１）が再生される。そして、第１吸着素子（８１）から脱離した水分が室内空気に付与され、加湿された室内空気が室内へ送り返される。これとは別の室内空気は、第２吸着素子（８２）を通過する間に除湿される。水分を奪われた室外空気は、第２吸着素子（８２）から流出して第２フィルタ（３０２）を通過し、その際に第２フィルタ（３０２）から塵埃などが引き剥がされる。その後、室内空気は、第２フィルタ（３０２）から取り除かれた塵埃などと共に室外へ排出される。
−第３変形例−
前記各実施形態は、空気調和用素子としての吸着素子（８１，８２）を備えて換気と調湿を行う調湿装置に本発明を適用したものであるが、本発明の適用対象がこの種の調湿装置に限定される訳ではない。例えば、空気調和用素子としての全熱交換器（３６３）を備える換気装置（３）に対しても、本発明は適用可能である。ここでは、本発明を適用した換気装置（３）について説明する。
図３５Ａ〜図３５Ｃに示すように、上記換気装置（３）では、中空で扁平な直方体状のケーシング（３５０）の内部に、全熱交換器（３６３）が収納されている。
上記ケーシング（３５０）では、図３５Ａにおける右側の端面に、外気吸込口（３５１）と排気口（３５４）とが形成されている。ケーシング（３５０）の内部は、外気吸込口（３５１）及び排気口（３５４）を介して第１空間としての室外空間と連通する。一方、ケーシング（３５０）では、図３５Ａにおける左側の端面に、給気口（３５２）と内気吸込口（３５３）とが形成されている。ケーシング（３５０）の内部は、給気口（３５２）及び内気吸込口（３５３）を介して第２空間としての室内空間と連通する。
上記全熱交換器（３６３）は、図３６に示すように、端面が正方形の四角柱状に形成されている。全熱交換器（３６３）では、その長手方向において第１流路（３６４）と第２流路（３６５）とが交互に多数形成されている。この全熱交換器（３６３）では、一対の対向面に第１流路（３６４）が開口し、これとは別の一対の対向面に第２流路（３６５）が開口している。また、第１流路（３６４）と第２流路（３６５）の仕切りは、紙などの透湿性を有する材質で構成されている。
ケーシング（３５０）内において、全熱交換器（３６３）は、その長手方向がケーシング（３５０）の奥行き方向（即ち図３５Ａにおける紙面に垂直方向）に沿う姿勢で、図３５Ａにおける左右幅方向の中央部に配置されている。また、全熱交換器（３６３）は、その中心軸周りに回転可能となっている。
全熱交換器（３６３）には、第１フィルタ（３６６）及び第２フィルタ（３６７）が取り付けられている。第１フィルタ（３６６）は、全熱交換器（３６３）において第１流路（３６４）が開口する１つの側面を覆うように設置されている。一方、第２フィルタ（３６７）は、全熱交換器（３６３）において第２流路（３６５）が開口する１つの側面を覆うように設置されている。
ケーシング（３５０）内において、全熱交換器（３６３）の左右の空間は、それぞれが上下に仕切られている。全熱交換器（３６３）の右側の空間は、上側の空間が外気吸込口（３５１）に連通し、下側の空間が排気口（３５４）に連通している。また、この下側の空間には、空気搬送手段としての排気ファン（３６９）が設置されている。一方、全熱交換器（３６３）の左側の空間は、上側の空間が内気吸込口（３５３）に連通し、下側の空間が給気口（３５２）に連通している。また、この下側の空間には、空気搬送手段としての給気ファン（３６８）が設置されている。ケーシング（３５０）内では、全熱交換器（３６３）の左上と右下の空間が第１の空気通路である排気通路（３６１）を構成し、全熱交換器（３６３）の右上と左下の空間が第２の空気通路である給気通路（３６２）を構成している。
図３５Ａに示すように、通常運転時において、全熱交換器（３６３）の姿勢は、第１フィルタ（３６６）が外気吸込口（３５１）側に位置して第２フィルタ（３６７）が内気吸込口（３５３）側に位置する状態に設定される。
給気ファン（３６８）を運転すると、外気吸込口（３５１）からケーシング（３５０）へ取り込まれた室外空気が給気通路（３６２）を流れる。この室外空気は、第１フィルタ（３６６）で浄化された後に全熱交換器（３６３）の第１流路（３６４）へ流入する。一方、排気ファン（３６９）を運転すると、内気吸込口（３５３）からケーシング（３５０）へ取り込まれた室内空気が排気通路（３６１）を流れる。この室内空気は、第２フィルタ（３６７）で浄化された後に全熱交換器（３６３）の第２流路（３６５）へ流入する。
全熱交換器（３６３）では、導入された室外空気と室内空気との間で熱及び水分の交換が行われる。例えば、冬季における室内の暖房中であれば、室内空気から室外空気へ熱と水分が移動する。そして、熱と水分を奪われた室内空気が排気口（３５４）から室外へ排出され、熱と水分を付与された室外空気が給気口（３５２）から室内へ供給される。逆に、夏季における室内の冷房中であれば、室外空気から室内空気へ熱と水分が移動する。そして、熱と水分を奪われた室外空気が給気口（３５２）から室内へ供給され、熱と水分を付与された室内空気が排気口（３５４）から室外へ排出される。
浄化運転時において、全熱交換器（３６３）は、その姿勢が先ず図３５Ｂに示す状態に設定される。具体的に、全熱交換器（３６３）の姿勢は、図３５Ａに示す状態から右回りに９０°回転し、第１フィルタ（３６６）が排気口（３５４）側に位置して第２フィルタ（３６７）が外気吸込口（３５１）側に位置する状態に設定される。
この状態において、排気通路（３６１）を流れる室内空気は、全熱交換器（３６３）を通過後に第１フィルタ（３６６）を通過する。第１フィルタ（３６６）に捕集されている塵埃などは、この室内空気の流れによって第１フィルタ（３６６）から引き剥がされ、室内空気と共に排気口（３５４）から室外へ排出される。この動作中は、第２フィルタ（３６７）が室外空気中の塵埃などを捕集する。
続いて、全熱交換器（３６３）は、その姿勢が図３５Ｃに示す状態に設定される。具体的に、全熱交換器（３６３）の姿勢は、図３５Ｂに示す状態から右回りに９０°回転し、第１フィルタ（３６６）が給気口（３５２）側に位置して第２フィルタ（３６７）が排気口（３５４）側に位置する状態に設定される。
この状態において、排気通路（３６１）を流れる室内空気は、全熱交換器（３６３）を通過後に第２フィルタ（３６７）を通過する。第２フィルタ（３６７）に捕集されている塵埃などは、この室内空気の流れによって第２フィルタ（３６７）から引き剥がされ、室内空気と共に排気口（３５４）から室外へ排出される。
このように、浄化運転では、全熱交換器（３６３）の姿勢を図３５Ｂに示す状態と図３５Ｃに示す状態とに設定することで、第１フィルタ（３６６）及び第２フィルタ（３６７）の清掃が行われる。その後、全熱交換器（３６３）は、その姿勢が図３５Ａに示す状態に戻される。
なお、本変形例では全熱交換器（３６３）に２つのフィルタ（３６６，３６７）を取り付けているが、図３７Ａ及び図３７Ｂに示すように、全熱交換器（３６３）にフィルタ（３６６）を１つだけ取り付けるようにしてもよい。
この場合、通常運転中において、全熱交換器（３６３）の姿勢は、フィルタ（３６６）が外気吸込口（３５１）側に位置する状態に設定される（図３７Ａを参照）。一方、浄化運転中において、全熱交換器（３６３）の姿勢は、フィルタ（３６６）が排気口（３５４）側に位置する状態に切り換えられる（図３７Ｂを参照）。つまり、全熱交換器（３６３）は、図３７Ａに示す状態から右回りに９０°回転する。
この状態において、排気通路（３６１）を流れる室内空気は、全熱交換器（３６３）を通過後にフィルタ（３６６）を通過する。フィルタ（３６６）に捕集されている塵埃などは、この室内空気の流れによってフィルタ（３６６）から引き剥がされ、室内空気と共に排気口（３５４）から室外へ排出される。なお、この浄化運転中には、室外空気が浄化されずに全熱交換器（３６３）へ流入するのを防止するため、給気ファン（３６８）を停止させておくのが望ましい。
なお、上記換気装置（３）では、全熱交換器（３６３）を回転させることによって通常運転と浄化運転を相互に切り換えているが、ダンパなどを用いて空気の流通経路を変更することによって通常運転と浄化運転の切り換えを行ってもよい。つまり、全熱交換器（３６３）は固定したままで空気の流通経路を変化させ、通常運転中にはフィルタ（３６６，３６７）から全熱交換器（３６３）へ空気を流し、浄化運転中には全熱交換器（３６３）からフィルタ（３６６，３６７）へ空気を流すようにしてもよい。
−第４変形例−
前記各実施形態は、空気調和用素子としての吸着素子（８１，８２）を備えて換気と調湿を行う調湿装置に本発明を適用したものであるが、本発明の適用対象がこの種の調湿装置に限定される訳ではない。例えば、空気調和用素子としての顕熱交換器（３８３）を備える熱交換装置（４）に対しても、本発明は適用可能である。この熱交換装置（４）は、例えば、発熱量の多い大型の電子機器等が収納された室内を外気で冷却するために利用される。
図３８Ａ〜図３８Ｃに示すように、本発明を適用した熱交換装置（４）は、上記第３変形例の換気装置（３）と概ね同様の構造を備えている。ここでは、本変形例の熱交換装置（４）について、主に第３変形例の換気装置（３）と異なる点を説明する。
熱交換装置（４）のケーシング（３７０）は、第３変形例のものと同様の直方体状に形成されている。このケーシング（３７０）では、図３８Ａにおける右側の端面に内気吸込口（３７１）及び排気口（３７４）が、図３８Ａにおける左側の端面に外気吸込口（３７３）及び給気口（３７２）がそれぞれ形成されている。
ケーシング（３７０）内には、顕熱交換器（３８３）が設けられている。この顕熱交換器（３８３）は、第３変形例の全熱交換器（３６３）と同様の構造を有している。つまり、顕熱交換器（３８３）は、全体として四角柱状に形成され、多数の第１流路（３８４）と第２流路（３８５）とを備えている。ただし、顕熱交換器（３８３）において、第１流路（３８４）と第２流路（３８５）の仕切りは、樹脂板などの透湿性の無い材質で構成されている。この顕熱交換器（３８３）は、第１流路（３８４）を流れる空気と第２流路（３８５）を流れる空気とを熱交換させる。
上記顕熱交換器（３８３）は、第３変形例の全熱交換器（３６３）と同様の姿勢でケーシング（３７０）内に設置されている。更に、顕熱交換器（３８３）は、第３変形例の全熱交換器（３６３）と同様に、その中心軸周りに回転可能に構成されている。また、顕熱交換器（３８３）には、第１流路（３８４）の開口する１つの側面を覆うように第１フィルタ（３８６）が取り付けられ、第２流路（３８５）の開口する１つの側面を覆うように第２フィルタ（３８７）が取り付けられている。
ケーシング（３７０）の内部は、第３変形例の換気装置（３）と同様に、４つの空間に区画されている。そして、内気吸込口（３７１）に連通する右上の空間と給気口（３７２）に連通する左下の空間とが空気通路としての内気通路（３８２）を構成し、外気吸込口（３７３）に連通する左上の空間と排気口（３７４）に連通する右下の空間とが空気通路としての外気通路（３８１）を構成している。また、ケーシング（３７０）内では、左下の空間に内気ファン（３８８）が配置され、右下の空間に外気ファン（３８９）が配置されている。内気ファン（３８８）及び外気ファン（３８９）は、空気搬送手段を構成している。
図３８Ａに示すように、通常運転時において、顕熱交換器（３８３）の姿勢は、第１フィルタ（３８６）が内気吸込口（３７１）側に位置して第２フィルタ（３８７）が外気吸込口（３７３）側に位置する状態に設定される。この状態で、顕熱交換器（３８３）へは、第１フィルタ（３８６）で浄化された室内空気と、第２フィルタ（３８７）で浄化された室外空気とが導入される。そして、顕熱交換器（３８３）を通過した室内空気が室内へ送り返され、顕熱交換器（３８３）を通過した室外空気が室外へ排出される。
浄化運転時において、顕熱交換器（３８３）は、その姿勢が先ず図３８Ｂに示す状態に設定される。具体的に、顕熱交換器（３８３）の姿勢は、図３８Ａに示す状態から右回りに９０°回転し、第１フィルタ（３８６）が排気口（３７４）側に位置して第２フィルタ（３８７）が内気吸込口（３７１）側に位置する状態に設定される。この状態において、室外空気は、顕熱交換器（３８３）を通過後に第１フィルタ（３８６）を通過する。第１フィルタ（３８６）に捕集されている塵埃などは、この室外空気の流れによって第１フィルタ（３８６）から引き剥がされ、室外空気と共に排気口（３７４）から室外へ排出される。
続いて、顕熱交換器（３８３）は、その姿勢が図３８Ｃに示す状態に設定される。具体的に、顕熱交換器（３８３）の姿勢は、図３８Ｂに示す状態から右回りに９０°回転し、第１フィルタ（３８６）が給気口（３７２）側に位置して第２フィルタ（３８７）が排気口（３７４）側に位置する状態に設定される。この状態において、室外空気は、顕熱交換器（３８３）を通過後に第２フィルタ（３８７）を通過する。第２フィルタ（３８７）に捕集されている塵埃などは、この室外空気の流れによって第２フィルタ（３８７）から引き剥がされ、室外空気と共に排気口（３７４）から室外へ排出される。
【産業上の利用可能性】    以上のように、本発明は、外気に処理を施して室内へ供給する換気装置に対して有用である。
【図１】
2004013541.tif 000003
【図２】
2004013541.tif 000004
【図３】
2004013541.tif 000005
【図４】
2004013541.tif 000006
2004013541.tif 000007
2004013541.tif 000008
2004013541.tif 000009
【図８】
2004013541.tif 000010
【図９】
2004013541.tif 000011
【図１０】
2004013541.tif 000012
2004013541.tif 000013
2004013541.tif 000014
2004013541.tif 000015
【図１４】
2004013541.tif 000016
2004013541.tif 000017
2004013541.tif 000018
2004013541.tif 000019
2004013541.tif 000020
2004013541.tif 000021
2004013541.tif 000022
2004013541.tif 000023
2004013541.tif 000024
2004013541.tif 000025
2004013541.tif 000026
2004013541.tif 000027
2004013541.tif 000028
2004013541.tif 000029
2004013541.tif 000030
2004013541.tif 000031
2004013541.tif 000032
2004013541.tif 000033
2004013541.tif 000034
2004013541.tif 000035
2004013541.tif 000036
2004013541.tif 000037
【図３６】
2004013541.tif 000038
2004013541.tif 000039
2004013541.tif 000040
【図３９】
2004013541.tif 000041
【国際調査報告】
2004013541.tif 000042
2004013541.tif 000043